(57)【要約】【課題】電力割当てを用いた多重化／多元接続が行われる場合に所望信号の復号の精度をより高くすることを可能にする。【解決手段】電力割当てを用いて多重化される複数の電力レイヤの送信信号系列を生成する第１送信処理部と、上記複数の電力レイヤのうちの１つ以上の電力レイヤの各々について、電力レイヤに対応するインタリーバ、スクランブラ又は位相係数を使用して当該電力レイヤの送信信号系列を処理する第２送信処理部と、を備える装置が提供される。【選択図】図１３
2016152175.tif 000002
【特許請求の範囲】
【請求項１】
電力割当てを用いて多重化される複数の電力レイヤの送信信号系列を生成する第１送信処理部と、
前記複数の電力レイヤのうちの１つ以上の電力レイヤの各々について、電力レイヤに対応するインタリーバ、スクランブラ又は位相係数を使用して当該電力レイヤの送信信号系列を処理する第２送信処理部と、
を備える装置。
【請求項２】
前記第２送信処理部は、前記電力レイヤに対応する前記インタリーバを使用して前記電力レイヤの前記送信信号系列をインタリーブする、請求項１に記載の装置。
【請求項３】
前記電力レイヤの前記送信信号系列は、ユーザへの送信信号系列であり、
前記電力レイヤに対応する前記インタリーバは、前記ユーザに固有のインタリーバである、
請求項２に記載の装置。
【請求項４】
前記電力レイヤに対応する前記インタリーバは、前記電力レイヤに固有のインタリーバである、請求項２に記載の装置。
【請求項５】
前記第２送信処理部は、前記電力レイヤに対応する前記位相係数を使用して前記電力レイヤの前記送信信号系列の位相を回転させる、請求項１に記載の装置。
【請求項６】
前記送信信号系列は、送信されるデータ信号の系列であり、
前記第２送信処理部は、電力レイヤに対応する位相係数を使用してリファレンス信号の位相を回転させない、
請求項５に記載の装置。
【請求項７】
前記１つ以上の電力レイヤは、前記複数の電力レイヤのうちの、所定数の電力レイヤ以外の電力レイヤである、請求項１に記載の装置。
【請求項８】
前記所定数の電力レイヤは、前記１つ以上の電力レイヤよりも大きい送信電力を割り当てられる電力レイヤである、請求項７に記載の装置。
【請求項９】
前記所定数の電力レイヤは、１つの電力レイヤである、請求項７に記載の装置。
【請求項１０】
前記１つ以上の電力レイヤは、前記複数の電力レイヤである、請求項１に記載の装置。
【請求項１１】
前記１つ以上の電力レイヤのうちの、より大きい送信電力を割り当てられる電力レイヤの送信信号系列は、より低い通信品質を伴うユーザへの送信信号系列であり、
前記１つ以上の電力レイヤのうちの、より小さい送信電力を割り当てられる電力レイヤの送信信号系列は、より高い通信品質を伴うユーザへの送信信号系列である、
請求項１に記載の装置。
【請求項１２】
前記電力レイヤの前記送信信号系列は、ユーザへの送信信号系列であり、
前記装置は、前記電力レイヤを前記ユーザに通知する通知部をさらに備える、
請求項１に記載の装置。
【請求項１３】
前記通知部は、前記ユーザへのダウンリンク制御情報の中で、前記電力レイヤを前記ユーザに通知する、請求項１２に記載の装置。
【請求項１４】
前記通知部は、前記複数の電力レイヤについての電力レイヤ数を前記ユーザに通知する、請求項１２に記載の装置。
【請求項１５】
前記通知部は、前記ユーザへのダウンリンク制御情報、前記ユーザへのシグナリングメッセージ、又はシステム情報の中で、前記電力レイヤ数を前記ユーザに通知する、請求項１４に記載の装置。
【請求項１６】
前記通知部は、前記ユーザへの前記送信信号系列についてのインタリーバ、スクランブラ又は位相係数の使用の有無を、前記ユーザに通知する、請求項１２に記載の装置。
【請求項１７】
前記通知部は、前記ユーザへのダウンリンク制御情報の中で、前記使用の有無を前記ユーザに通知する、請求項１６に記載の装置。
【請求項１８】
電力割当てを用いて多重化される複数の電力レイヤのうちの少なくとも１つの電力レイヤの各々に対応するデインタリーバ、デスクランブラ又は位相係数を取得する取得部と、
前記少なくとも１つの電力レイヤの各々に対応する前記デインタリーバ、前記デスクランブラ又は前記位相係数を使用して、受信処理を行う受信処理部と、
を備える装置。
【請求項１９】
前記少なくとも１つの電力レイヤは、前記複数の電力レイヤうちの、所定数の電力レイヤ以外の１つ以上の電力レイヤに含まれ、
前記受信処理部は、前記所定数の電力レイヤの各々に対応するデインタリーバ、デスクランブラ又は位相係数を使用することなく、受信処理を行う、
請求項１８に記載の装置。
【請求項２０】
前記受信処理部は、前記複数の電力レイヤのうちの、電力レイヤに対応するインタリーバ、スクランブラ又は位相係数を使用して送信信号系列が処理される当該電力レイヤを判定する、請求項１８に記載の装置。
【発明の詳細な説明】
【技術分野】
【０００１】
本開示は、装置に関する。
【背景技術】
【０００２】
ＬＴＥ（Long  Term  Evolution）／ＬＴＥ−Ａ（Advanced）に続く第５世代（５Ｇ）移動体通信システムの無線アクセス技術（Radio  Access  Technology：ＲＡＴ）として、非直交多元接続（Non-Orthogonal  Multiple  Access）が注目されている。ＬＴＥにおいて採用されているＯＦＤＭＡ（Orthogonal  Frequency-Division  Multiple  Access）及びＳＣ−ＦＤＭＡ（Single-Carrier  Frequency-Division  Multiple  Access）では、無線リソース（例えば、リソースブロック）は、重複なくユーザに割り当てられる。これらの方式は、直交多元接続と呼ばれ得る。一方、非直交多元接続では、無線リソースは、重複してユーザに割り当てられる。非直交多元接続では、ユーザの信号が互いに干渉するが、受信側における高精度な復号処理によりユーザごとの信号が取り出される。非直交多元接続は、理論的には、直交多元接続よりも高いセル通信容量を実現することが可能である。【０００３】
非直交多元接続に分類される無線アクセス技術の１つとして、ＳＰＣ（Superposition  Coding）多重化／多元接続が挙げられる。ＳＰＣは、異なる電力が割り当てられた信号を少なくとも一部が重複する周波数及び時間の無線リソース上で多重化する方式である。受信側では、同一の無線リソース上で多重化された信号の受信／復号のために、干渉除去（Interference  Cancellation）及び／又は繰返し検出などが行われる。【０００４】
例えば、特許文献１及び２には、ＳＰＣ又はＳＰＣに準ずる技術として、適切な復調／復号を可能にする振幅（又は電力）の設定の手法が開示されている。また、例えば、特許文献３には、多重化された信号を受信するためのＳＩＣ（Successive  Interference  Cancellation）の高度化の手法が開示されている。
【先行技術文献】
【特許文献】
【０００５】
【特許文献１】特開２００３−７８４１９号公報
【特許文献２】特開２００３−２２９８３５号公報
【特許文献３】特開２０１３−２４７５１３号公報
【発明の概要】
【発明が解決しようとする課題】
【０００６】
例えば、ＳＰＣを用いて多重化される複数の電力レイヤでは、同様にフェージング（例えば、周波数選択性及び／又は時間選択性のフェージング）が発生する。そのため、特定の無線リソース（例えば、周波数リソース及び／又は時間リソース）について、上記複数の電力レイヤの信号（干渉信号及び所望信号）の復号の精度が下がる。さらに、干渉信号の復号の精度の低下に伴い、上記特定の無線リソースについて干渉除去の精度も悪くなり、残留干渉が大きくなる。このように、上記特定の無線リソースについて、残留干渉が大きくなり、且つ、所望信号の復号の精度自体が下がるので、所望信号を正しく復号することが困難になり得る。【０００７】
そこで、電力割当てを用いた多重化／多元接続が行われる場合に所望信号の復号の精度をより高くすることを可能にする仕組みが提供されることが望ましい。
【課題を解決するための手段】
【０００８】
本開示によれば、電力割当てを用いて多重化される複数の電力レイヤの送信信号系列を生成する第１送信処理部と、上記複数の電力レイヤのうちの１つ以上の電力レイヤの各々について、電力レイヤに対応するインタリーバ、スクランブラ又は位相係数を使用して当該電力レイヤの送信信号系列を処理する第２送信処理部と、を備える装置が提供される。【０００９】
また、本開示によれば、電力割当てを用いて多重化される複数の電力レイヤのうちの少なくとも１つの電力レイヤの各々に対応するデインタリーバ、デスクランブラ又は位相係数を取得する取得部と、上記少なくとも１つの電力レイヤの各々に対応する上記デインタリーバ、上記デスクランブラ又は上記位相係数を使用して、受信処理を行う受信処理部と、を備える装置が提供される。
【発明の効果】
【００１０】
以上説明したように本開示によれば、電力割当てを用いた多重化／多元接続が行われる場合に復号の精度をより高くすることが可能になる。なお、上記の効果は必ずしも限定的なものではなく、上記効果とともに、又は上記効果に代えて、本明細書に示されたいずれかの効果、又は本明細書から把握され得る他の効果が奏されてもよい。
【図面の簡単な説明】
【００１１】
【図１】ＳＰＣをサポートする送信装置における処理の一例を説明するための第１の説明図である。
【図２】ＳＰＣをサポートする送信装置における処理の一例を説明するための第２の説明図である。
【図３】干渉除去を行う受信装置における処理の一例を説明するための説明図である。
【図４】ＳＰＣを用いた多重化の一例を説明するための第１の説明図である。
【図５】ＳＰＣを用いた多重化の一例を説明するための第２の説明図である。
【図６】フェージングと残留干渉の一例を説明するための説明図である。
【図７】本開示の実施形態に係るシステムの概略的な構成の一例を示す説明図である。
【図８】同実施形態に係る基地局の構成の一例を示すブロック図である。
【図９】同実施形態に係る端末装置の構成の一例を示すブロック図である。
【図１０】電力レイヤへの電力割当ての一例を説明するための説明図である。
【図１１】第１の実施形態に係る信号の復号の例を説明するための第１の説明図である。
【図１２】第１の実施形態に係る信号の復号の例を説明するための第２の説明図である。
【図１３】第１の実施形態に係る信号の復号の例を説明するための第３の説明図である。
【図１４】第１の実施形態に係る信号の復号の例を説明するための第４の説明図である。
【図１５】インタリービングに関する第１のシミュレーションの結果を説明するための説明図である。
【図１６】インタリービングに関する第２のシミュレーションの結果を説明するための説明図である。
【図１７】第１の実施形態に係る基地局の送信処理の概略的な流れの一例を示すフローチャートである。
【図１８】第１の実施形態に係る端末装置の受信処理の概略的な流れの一例を示すフローチャートである。
【図１９】非ＳＰＣ用の復号処理の概略的な流れの一例を示すフローチャートである。
【図２０】ＳＰＣ用の復号処理の概略的な流れの第１の例を示すフローチャートである。
【図２１】対象レイヤについての非ＳＰＣ用の復号処理の概略的な流れの一例を示すフローチャートである。
【図２２】対象レイヤについての干渉信号レプリカ生成処理の概略的な流れの一例を示すフローチャートである。
【図２３】ＳＰＣ用の復号処理の概略的な流れの第２の例を示すフローチャートである。
【図２４】並列復号処理の概略的な流れの一例を示すフローチャートである。
【図２５】干渉信号レプリカ生成処理の概略的な流れの一例を示すフローチャートである。
【図２６】基地局から端末装置への通知を含む処理の概略的な流れの第１の例を示すシーケンス図である。
【図２７】基地局から端末装置への通知を含む処理の概略的な流れの第２の例を示すシーケンス図である。
【図２８】基地局から端末装置への通知を含む処理の概略的な流れの第３の例を示すシーケンス図である。
【図２９】空間レイヤ及び電力レイヤの多重化の第１の例を説明するための説明図である。
【図３０】空間レイヤ及び電力レイヤの多重化の第２の例を説明するための説明図である。
【図３１】第１の実施形態の第１の変形例に係る多重化決定処理の概略的な流れの一例を示すフローチャートである。
【図３２】他の選択処理の概略的な流れの一例を示すフローチャートである。
【図３３】第１の実施形態の第１の変形例に係る送信電力決定処理の概略的な流れの一例を示すフローチャートである。
【図３４】第１の実施形態の第１の変形例に係る基地局の送信処理の概略的な流れの一例を示すフローチャートである。
【図３５】チャネル変動の周波数方向へのシフトの例を説明するための説明図である。
【図３６】第２の実施形態に係る基地局の送信処理の概略的な流れの一例を示すフローチャートである。
【図３７】第２の実施形態に係る端末装置の受信処理の概略的な流れの一例を示すフローチャートである。
【図３８】空間多重化及び電力割当てを用いた多重化の組合せのケースにおける処理の例を説明するための説明図である。
【図３９】ｅＮＢの概略的な構成の第１の例を示すブロック図である。
【図４０】ｅＮＢの概略的な構成の第２の例を示すブロック図である。
【図４１】スマートフォンの概略的な構成の一例を示すブロック図である。
【図４２】カーナビゲーション装置の概略的な構成の一例を示すブロック図である。
【発明を実施するための形態】
【００１２】
以下に添付の図面を参照しながら、本開示の好適な実施の形態について詳細に説明する。なお、本明細書及び図面において、実質的に同一の機能構成を有する構成要素については、同一の符号を付することにより重複説明を省略する。
【００１３】
また、本明細書及び図面において、実質的に同一の機能構成を有する要素を、同一の符号の後に異なるアルファベットを付して区別する場合もある。例えば、実質的に同一の機能構成を有する複数の要素を、必要に応じて端末装置２００Ａ、２００Ｂ及び２００Ｃのように区別する。ただし、実質的に同一の機能構成を有する複数の要素の各々を特に区別する必要がない場合、同一符号のみを付する。例えば、端末装置２００Ａ、２００Ｂ及び２００Ｃを特に区別する必要が無い場合には、単に端末装置２００と称する。
【００１４】
なお、説明は以下の順序で行うものとする。
１．ＳＰＣ
２．技術的課題
３．通信システムの概略的な構成
４．各装置の構成
４．１．基地局の構成
４．２．端末装置の構成
５．第１の実施形態
５．１．技術的特徴
５．２．処理の流れ
５．３．第１の変形例
５．４．第２の変形例
６．第２の実施形態
６．１．技術的特徴
６．２．処理の流れ
６．３．変形例
７．応用例
７．１．基地局に関する応用例
７．２．端末装置に関する応用例
８．まとめ
【００１５】
＜＜１．ＳＰＣ＞＞
図１〜図３を参照して、ＳＰＣの処理及び信号を説明する。
【００１６】
（１）各装置における処理
（ａ）送信装置における処理
図１及び図２は、ＳＰＣをサポートする送信装置における処理の一例を説明するための説明図である。図１を参照すると、例えば、ユーザＡ、ユーザＢ及びユーザＣの各々のビットストリーム（例えば、トランスポートブロック）が処理される。これらのビットストリームの各々について、いくつかの処理（例えば、図２に示されるような）ＣＲＣ（Cyclic  Redundancy  Check）符号化、ＦＥＣ（Forward  Error  Correction）符号化、レートマッチング及びスクランブリング／インタリービング）が行われ、その後変調が行われる。そして、レイヤマッピング、電力割当て、プリコーディング、ＳＰＣ多重、リソースエレメントマッピング、ＩＤＦＴ（Inverse  Discrete  Fourier  Transform）／ＩＦＦＴ（Inverse  Fast  Fourier  Transform）、ＣＰ（Cyclic  Prefix）挿入、並びに、デジタルからアナログ及びＲＦ（Radio  Frequency）への変換などが行われる。
【００１７】
とりわけ、電力割当てにおいて、ユーザＡ、ユーザＢ及びユーザＣの各々の信号に電力が割り当てられ、ＳＰＣ多重化において、ユーザＡ、ユーザＢ及びユーザＣの信号が多重化される。
【００１８】
（ｂ）受信装置における処理
図３は、干渉除去を行う受信装置における処理の一例を説明するための説明図である。図３を参照すると、例えば、ＲＦ及びアナログからデジタルへの変換、ＣＰ除去（removal）、ＤＦＴ（Discrete  Fourier  Transform）／ＦＦＴ（Fast  Fourier  Transform）、並びに、ジョイント干渉除去、等化及び復号などが行われる。その結果、ユーザＡ、ユーザＢ及びユーザＣの各々のビットストリーム（例えば、トランスポートブロック）が得られる。
【００１９】
（２）送信信号及び受信信号
（ａ）ダウンリンク
次に、ＳＰＣが採用される場合のダウンリンクの送信信号及び受信信号を説明する。ここでは、ＨｅｔＮｅｔ（Heterogeneous  Network）又はＳＣＥ（Small  Cell  Enhancement）などのマルチセルシステムを想定する。
【００２０】
対象のユーザｕが接続するセルのインデックスをｉで表し、当該セルに対応する基地局の送信アンテナの数をＮＴＸ，ｉで表す。当該送信アンテナの各々は、送信アンテナポートとも呼ばれ得る。セルｉからユーザｕへの送信信号は、以下のようにベクトル形式で表されることが可能である。
【００２１】
【数１】
2016152175.tif 000003
【００２２】
【数２】
2016152175.tif 000004
【００２３】
【数３】
2016152175.tif 000005
【００２４】
【数４】
2016152175.tif 000006
【００２５】
上述した式において、ＮＳＳ，ｕは、ユーザｕについての空間送信ストリーム数である。基本的には、ＮＳＳ，ｕは、ＮＴＸ，ｉ以下の正の整数である。ベクトルｘｉ，ｕは、ユーザｕへの空間ストリーム信号である。このベクトルの各要素は、基本的には、ＰＳＫ（Phase  Shift  Keying）又はＱＡＭ（Quadrature  Amplitude  Modulation）などのデジタル変調シンボルに相当する。行列Ｗｉ，ｕは、ユーザｕについてのプリコーディング行列（Precoding  Matrix）である。この行列内の要素は、基本的には複素数であるが、実数であってもよい。
【００２６】
行列Ｐｉ，ｕは、セルｉにおけるユーザｕのための電力割当て係数行列である。この行列では、各要素が正の実数であることが望ましい。なお、この行列は、以下のような対角行列（即ち、対角成分以外が０である行列）であってもよい。
【００２７】
【数５】
2016152175.tif 000007
【００２８】
空間ストリームについて適応的な電力割当てが行われない場合には、行列Ｐｉ，ｕの代わりに、スカラ値Ｐｉ，ｕが用いられてもよい。
【００２９】
セルｉには、ユーザｕのみではなく他のユーザｖも存在し、他のユーザｖの信号ｓｉ，ｖも、同一の無線リソースで送信される。これらの信号は、ＳＰＣを用いて多重化される。多重化後のセルｉからの信号ｓｉは、以下のように表される。
【００３０】
【数６】
2016152175.tif 000008
【００３１】
上述した式において、Ｕｉは、セルｉにおいて多重化されるユーザの集合である。ユーザｕのサービングセル以外のセルｊ（ユーザｕにとっての干渉源となるセル）でも、同様に送信信号ｓｊが生成される。ユーザ側では、このような信号が干渉として受信される。ユーザｕの受信信号ｒｕは、以下のように表されることが可能である。
【００３２】
【数７】
2016152175.tif 000009
【００３３】
【数８】
2016152175.tif 000010
【００３４】
【数９】
2016152175.tif 000011
【００３５】
上述した式において、行列Ｈｕ，ｉは、セルｉ及びユーザｕについてのチャネル応答行列である。行列Ｈｕ，ｉの各要素は、基本的には複素数である。ベクトルｎｕは、ユーザｕの受信信号ｒｕに含まれる雑音である。例えば、当該雑音は、熱雑音、及び他のシステムからの干渉などを含む。雑音の平均電力は、以下のように表される。
【００３６】
【数１０】
2016152175.tif 000012
【００３７】
受信信号ｒｕは、以下のように、所望信号と他の信号とにより表されることも可能である。
【００３８】
【数１１】
2016152175.tif 000013
【００３９】
上述した式において、右辺の第１項は、ユーザｕの所望信号、第２項は、ユーザｕのサービングセルｉ内の干渉（セル内干渉（intra-cell  interference）、又は、マルチユーザ干渉若しくはマルチアクセス干渉などと呼ばれる）、第３項は、セルｉ以外のセルからの干渉（セル間干渉（inter-cell  interference）と呼ばれる）である。
【００４０】
なお、直交多元接続（例えば、ＯＦＤＭＡ又はＳＣ−ＦＤＭＡ）などが採用される場合には、受信信号は、以下のように表されることが可能である。
【００４１】
【数１２】
2016152175.tif 000014
【００４２】
直交多元接続では、セル内干渉がなく、また、他のセルｊにおいても他のユーザｖの信号が同一の無線リソースにおいて多重化されない。
【００４３】
（ｂ）アップリンク
次に、ＳＰＣが採用される場合のアップリンクの送信信号及び受信信号を説明する。ここでは、ＨｅｔＮｅｔ又はＳＣＥなどのマルチセルシステムを想定する。なお、信号などを表す記号として、ダウンリンクについて用いられた記号を流用する。
【００４４】
セルｉにおいてユーザｕが送信する送信信号は、以下のようにベクトル形式で表されることが可能である。
【００４５】
【数１３】
2016152175.tif 000015
【００４６】
【数１４】
2016152175.tif 000016
【００４７】
【数１５】
2016152175.tif 000017
【００４８】
【数１６】
2016152175.tif 000018
【００４９】
上述した式において、送信アンテナ数は、ユーザの送信アンテナの数ＮＴＸ，ｕである。セルｉにおけるユーザｕのための電力割当て係数行列である行列Ｐｉ，ｕは、ダウンリンクのケースと同様に、対角行列であってもよい。
【００５０】
アップリンクでは、ユーザ内で、当該ユーザの信号と他のユーザの信号とを多重化することはないので、セルｉの基地局の受信信号は、以下のように表されることが可能である。
【００５１】
【数１７】
2016152175.tif 000019
【００５２】
【数１８】
2016152175.tif 000020
【００５３】
【数１９】
2016152175.tif 000021
【００５４】
ダウンリンクのケースとは異なり、アップリンクのケースでは、基地局は、セル内の複数のユーザからの信号を全て復号することが必要であるという点に留意すべきである。さらに、チャネル応答行列がユーザによって異なるという点も留意が必要である。
【００５５】
とりわけ、セルｉ内のアップリンク信号の中でも、ユーザｕにより送信される信号に着目すると、受信信号は、以下のように表されることが可能である。
【００５６】
【数２０】
2016152175.tif 000022
【００５７】
上述した式において、右辺の第１項は、ユーザｕの所望信号、第２項は、ユーザｕのサービングセルｉ内の干渉（セル内干渉、又は、マルチユーザ干渉若しくはマルチアクセス干渉などと呼ばれる）、第３項は、セルｉ以外のセルからの干渉（セル間干渉と呼ばれる）である。
【００５８】
なお、直交多元接続（例えば、ＯＦＤＭＡ又はＳＣ−ＦＤＭＡ）などが採用される場合には、受信信号は、以下のように表されることが可能である。
【００５９】
【数２１】
2016152175.tif 000023
【００６０】
直交多元接続では、セル内干渉がなく、また、他のセルｊにおいても他のユーザｖの信号が同一の無線リソースにおいて多重化されない。
【００６１】
＜＜２．技術的課題＞＞
続いて、図４〜図６を参照して、本開示の実施形態に係る技術的課題を説明する。
【００６２】
例えば、ＳＰＣを用いて多重化される複数の電力レイヤでは、同様にフェージング（例えば、周波数選択性及び／又は時間選択性のフェージング）が発生する。そのため、特定の無線リソース（例えば、周波数リソース及び／又は時間リソース）について、上記複数の電力レイヤの信号（干渉信号及び所望信号）の復号の精度が下がる。さらに、干渉信号の復号の精度の低下に伴い、上記特定の無線リソースについて干渉除去の精度も悪くなり、残留干渉が大きくなる。このように、上記特定の無線リソースについて、残留干渉が大きくなり、且つ、所望信号の復号の精度自体が下がるので、所望信号を正しく復号することが困難になり得る。以下、この点について図４〜図６を参照して具体例を説明する。
【００６３】
図４及び図５は、ＳＰＣを用いた多重化の一例を説明するための説明図である。図４を参照すると、基地局１０、端末装置２０Ａ及び端末装置２０Ｂが示されている。例えば、基地局１０は、電力レイヤ０及び電力レイヤ１を多重化し、電力レイヤ０で端末装置２０Ａへの信号を送信し、電力レイヤ１で端末装置２０Ｂへの信号を送信する。さらに、図５を参照すると、電力レイヤ０（端末装置２０Ａに対応する電力レイヤ）に割り当てられる電力Ｐ０と、電力レイヤ１（端末装置２０Ｂに対応する電力レイヤ）に割り当てられる電力Ｐ１とが示されている。例えば、このように、基地局１００からより近い端末装置２０Ａ（即ち、パスロスが小さい端末装置）に対応する電力レイヤ０に、より小さい電力が割り当てられる。また、基地局１００からより離れた端末装置２０Ｂ（即ち、パスロスが大きい端末装置）に対応する電力レイヤ１に、より大きい電力が割り当てられる。なお、端末装置２０Ａが、指向性ビームのメインローブに入っている端末装置であり、端末装置２０Ｂが、指向性ビームのメインローブから外れた端末装置であってもよい。
【００６４】
図６は、フェージングと残留干渉の一例を説明するための説明図である。図６を参照すると、端末装置２０Ａにおける電力レイヤ０の受信電力３１（即ち、所望信号の受信電力）と、端末装置２０Ａにおける電力レイヤ１の受信電力３３（即ち、干渉信号の受信電力）とが示されている。電力レイヤ０及び電力レイヤ１では、無線リソース３７Ａ、３７Ｂ、３７Ｃ、３７Ｄにおいて大きなフェージングが発生する。そのため、無線リソース３７Ａ、３７Ｂ、３７Ｃ、３７Ｄについて、電力レイヤ１の信号（即ち、干渉信号）の復号においてバースト誤りが発生し、電力レイヤ１の信号の復号の精度が低くなる。さらに、無線リソース３７Ａ、３７Ｂ、３７Ｃ、３７Ｄについて、電力レイヤ１の信号の復号の精度の低下に伴い、干渉除去の精度も悪くなり、残留干渉３５が大きくなる。また、無線リソース３７Ａ、３７Ｂ、３７Ｃ、３７Ｄについて、電力レイヤ１の信号（即ち、干渉信号）と同様に、電力レイヤ０の信号（即ち、所望信号）の復号の精度が低くなる。このように、無線リソース３７Ａ、３７Ｂ、３７Ｃ、３７Ｄについて、残留干渉３５が大きくなり、且つ、電力レイヤ０の信号（即ち、所望信号）の復号の精度が下がることに起因して、電力レイヤ０の信号（即ち、所望信号）を正しく復号することが困難になり得る。
【００６５】
そこで、電力割当てを用いた多重化／多元接続が行われる場合に復号の精度をより高くすることを可能にする仕組みが提供されることが望ましい。
【００６６】
＜＜３．システムの概略的な構成＞＞
続いて、図７を参照して、本開示の実施形態に係るシステム１の概略的な構成を説明する。図７は、本開示の実施形態に係るシステム１の概略的な構成の一例を示す説明図である。図７を参照すると、システム１は、基地局１００及び端末装置２００を含む。ここでは、端末装置２００は、ユーザとも呼ばれる。当該ユーザは、ユーザ機器（User  Equipment：ＵＥ）とも呼ばれ得る。ここでのＵＥは、ＬＴＥ又はＬＴＥ−Ａにおいて定義されているＵＥであってもよく、より一般的に通信機器を意味してもよい。
【００６７】
（１）基地局１００
基地局１００は、セルラーシステム（又は移動体通信システム）の基地局である。基地局１００は、基地局１００のセル１０１内に位置する端末装置（例えば、端末装置２００）との無線通信を行う。例えば、基地局１００は、端末装置へのダウンリンク信号を送信し、端末装置からのアップリンク信号を受信する。
【００６８】
（２）端末装置２００
端末装置２００は、セルラーシステム（又は移動体通信システム）において通信可能である。端末装置２００は、セルラーシステムの基地局（例えば、基地局１００）との無線通信を行う。例えば、端末装置２００は、基地局からのダウンリンク信号を受信し、基地局へのアップリンク信号を送信する。
【００６９】
（３）多重化／多元接続
とりわけ本開示の実施形態では、基地局１００は、非直交多元接続により、複数の端末装置との無線通信を行う。より具体的には、基地局１００は、電力割当てを用いた多重化／多元接続により、複数の端末装置との無線通信を行う。例えば、基地局１００は、ＳＰＣを用いた多重化／多元接続により、複数の端末装置との無線通信を行う。
【００７０】
例えば、基地局１００は、ダウンリンクにおいて、ＳＰＣを用いた多重化／多元接続により、複数の端末装置との無線通信を行う。より具体的には、例えば、基地局１００は、複数の端末装置への信号を、ＳＰＣを用いて多重化する。この場合に、例えば、端末装置２００は、所望信号（即ち、端末装置２００への信号）を含む多重化信号から、干渉として１つ以上の他の信号を除去し、上記所望信号を復号する。
【００７１】
なお、基地局１００は、ダウンリンクの代わりに、又はダウンリンクとともに、アップリンクにおいて、ＳＰＣを用いた多重化／多元接続により、複数の端末装置との無線通信を行ってもよい。この場合に、基地局１００は、当該複数の端末装置により送信される信号を含む多重化信号から、当該信号の各々を復号してもよい。
【００７２】
＜＜４．各装置の構成＞＞
続いて、図８及び図９を参照して、本開示の実施形態に係る基地局１００及び端末装置２００の構成を説明する。
【００７３】
＜４．１．基地局の構成＞
まず、図８を参照して、本開示の実施形態に係る基地局１００の構成の一例を説明する。図８は、本開示の実施形態に係る基地局１００の構成の一例を示すブロック図である。図８を参照すると、基地局１００は、アンテナ部１１０、無線通信部１２０、ネットワーク通信部１３０、記憶部１４０及び処理部１５０を備える。
【００７４】
（１）アンテナ部１１０
アンテナ部１１０は、無線通信部１２０により出力される信号を電波として空間に放射する。また、アンテナ部１１０は、空間の電波を信号に変換し、当該信号を無線通信部１２０へ出力する。
【００７５】
（２）無線通信部１２０
無線通信部１２０は、信号を送受信する。例えば、無線通信部１２０は、端末装置へのダウンリンク信号を送信し、端末装置からのアップリンク信号を受信する。
【００７６】
（３）ネットワーク通信部１３０
ネットワーク通信部１３０は、情報を送受信する。例えば、ネットワーク通信部１３０は、他のノードへの情報を送信し、他のノードからの情報を受信する。例えば、上記他のノードは、他の基地局及びコアネットワークノードを含む。
【００７７】
（４）記憶部１４０
記憶部１４０は、基地局１００の動作のためのプログラム及び様々なデータを一時的に又は恒久的に記憶する。
【００７８】
（５）処理部１５０
処理部１５０は、基地局１００の様々な機能を提供する。処理部１５０は、第１送信処理部１５１、第２送信処理部１５３、第３送信処理部１５５及び通知部１５７を含む。なお、処理部１５０は、これらの構成要素以外の他の構成要素をさらに含み得る。即ち、処理部１５０は、これらの構成要素の動作以外の動作も行い得る。
【００７９】
第１送信処理部１５１、第２送信処理部１５３、第３送信処理部１５５及び通知部１５７の動作は、後に詳細に説明する。
【００８０】
＜４．２．端末装置の構成＞
まず、図９を参照して、本開示の実施形態に係る端末装置２００の構成の一例を説明する。図９は、本開示の実施形態に係る端末装置２００の構成の一例を示すブロック図である。図９を参照すると、端末装置２００は、アンテナ部２１０、無線通信部２２０、記憶部２３０及び処理部２４０を備える。
【００８１】
（１）アンテナ部２１０
アンテナ部２１０は、無線通信部２２０により出力される信号を電波として空間に放射する。また、アンテナ部２１０は、空間の電波を信号に変換し、当該信号を無線通信部２２０へ出力する。
【００８２】
（２）無線通信部２２０
無線通信部２２０は、信号を送受信する。例えば、無線通信部２２０は、基地局からのダウンリンク信号を受信し、基地局へのアップリンク信号を送信する。
【００８３】
（３）記憶部２３０
記憶部２３０は、端末装置２００の動作のためのプログラム及び様々なデータを一時的に又は恒久的に記憶する。
【００８４】
（４）処理部２４０
処理部２４０は、端末装置２００の様々な機能を提供する。処理部２４０は、情報取得部２４１及び受信処理部２４３を含む。なお、処理部２４０は、これらの構成要素以外の他の構成要素をさらに含み得る。即ち、処理部２４０は、これらの構成要素の動作以外の動作も行い得る。
【００８５】
情報取得部２４１及び受信処理部２４３の動作は、後に詳細に説明する。
【００８６】
＜＜５．第１の実施形態＞＞
続いて、図１０〜図３４を参照して、第１の実施形態を説明する。
【００８７】
＜５．１．技術的特徴＞
まず、図１０〜図１６を参照して、第１の実施形態に係る技術的特徴を説明する。
【００８８】
（１）電力レイヤインタリービング
基地局１００（第１送信処理部１５１）は、電力割当てを用いて多重化される複数の電力レイヤの送信信号系列を生成する。そして、基地局１００（第２送信処理部１５３）は、上記複数の電力レイヤのうちの１つ以上の電力レイヤの各々について、電力レイヤに対応するインタリーバを使用して当該電力レイヤの送信信号系列を処理する。より具体的には、基地局１００（第２送信処理部１５３）は、上記電力レイヤに対応する上記インタリーバを使用して上記電力レイヤの上記送信信号系列をインタリーブする。
【００８９】
端末装置２００（情報取得部２４１）は、上記複数の電力レイヤのうちの少なくとも１つの電力レイヤの各々に対応するデインタリーバを取得する。そして、端末装置２００（受信処理部２４１）は、上記少なくとも１つの電力レイヤの各々に対応する上記デインタリーバを使用して、受信処理を行う。
【００９０】
なお、本明細書において。「電力レイヤを多重化する」という表現は、「電力レイヤの信号を多重化する」ことと同義である。
【００９１】
（ａ）電力割当てを用いた多重化
例えば、上記複数の電力レイヤは、ＳＰＣを用いて多重化される電力レイヤである。
【００９２】
（ｂ）送信信号系列の生成
例えば、上記送信信号系列は、符号化ビット系列（即ち、符号化されたビット系列）である。基地局１００（第１送信処理部１５１）は、上記複数の電力レイヤの符号化ビット系列を生成する。
【００９３】
具体的には、例えば、第１送信処理部１５１は、上記複数の電力レイヤの各々について、（例えば図２に示されるような）ＣＲＣ符号化、ＦＥＣ符号化及び／又はレートマッチングなどを行うことにより、電力レイヤの符号化ビット系列を生成する。
【００９４】
（ｃ）電力レイヤに対応するインタリーバ
（ｃ−１）第１の例：ユーザに固有のインタリーバ
第１の例として、上記電力レイヤの上記送信信号系列は、ユーザ（即ち、端末装置２００）への送信信号系列であり、上記電力レイヤに対応するインタリーバは、上記ユーザに固有のインタリーバである。１ユーザに２つ以上の電力レイヤが割り当てられる（即ち、２つ以上のレイヤの送信信号系列が同じユーザへの送信信号系列である）ことはなく、１ユーザには１つの電力レイヤのみが割り当てられる。
【００９５】
例えば、上記ユーザに固有の上記インタリーバは、上記ユーザの識別情報に基づいて生成される。当該識別情報は、上記ユーザのＲＮＴＩ（Radio  Network  Temporary  Identifier）であってもよい。上記ユーザに固有の上記インタリーバは、ＤＩ（Deterministic  Interleaver）であってもよく、ＬＣＩ（Linear  Congruential  Interleaver）であってもよい。当然ながら、上記識別情報及び上記ユーザに固有の上記インタリーバは、これらの例に限定されない。
【００９６】
これにより、例えば、端末装置２００は電力レイヤに関する情報（例えば、電力レイヤのインデックス）なしにインタリーバを取得することが可能になる。
【００９７】
（ｃ−２）第２の例：電力レイヤに固有のインタリーバ
第２の例として、上記電力レイヤに対応する上記インタリーバは、上記電力レイヤに固有のインタリーバであってもよい。上記電力レイヤに固有のインタリーバは、（例えば、上記ユーザにより）上電力レイヤに関する情報（例えば、電力レイヤのインデックス、あるいは個別の電力レイヤに対応するＲＮＴＩ）に基づいて生成されてもよい。
【００９８】
これにより、例えば、端末装置２００は各電力レイヤのインタリーバを容易に取得することが可能になる。
【００９９】
（ｃ−３）その他
上記レイヤに対応する上記インタリーバは、ユーザが属するセルＩＤ、ユーザのＩＤ、ユーザのＲＮＴＩ、電力レイヤインデックス、空間レイヤインデックス及び／又は時間インデックス（例えば、サブフレーム番号など）などに基づいて決定されてもよい。
【０１００】
あるいは、上記レイヤに対応する上記インタリーバは、インタリーブパターンを示すための独立のインデックスに基づいて決定されてもよく、基地局１００は、当該独立のインデックスをユーザ（端末装置２００）に通知してもよい。
【０１０１】
（ｄ）１つ以上の電力レイヤ
（ｄ−１）第１の例
例えば、上記１つ以上の電力レイヤ（即ち、インタリービングの対象となる電力レイヤ）は、上記複数の電力レイヤのうちの、所定数の電力レイヤ以外の電力レイヤである。例えば、当該所定数の電力レイヤは、１つの電力レイヤである。即ち、基地局１００（第２送信処理部１５３）は、上記複数の電力レイヤのうちの、上記所定数の電力レイヤ（例えば、上記１つの電力レイヤ）以外の電力レイヤの各々について、電力レイヤに対応するインタリーバを使用して当該電力レイヤの送信信号系列をインタリーブする。
【０１０２】
−電力レイヤに割り当てられる電力
例えば、上記所定数の電力レイヤ（例えば、上記１つの電力レイヤ）は、上記１つ以上の電力レイヤよりも大きい送信電力を割り当てられる電力レイヤである。即ち、基地局１００（第３送信処理部１５５）は、上記所定数の電力レイヤ（例えば、上記１つの電力レイヤ）により大きい送信電力を割り当て、上記１つ以上の電力レイヤにより小さい送信電力を割り当てる。以下、この点について図１０を参照して具体例を説明する。
【０１０３】
図１０は、電力レイヤへの電力割当ての一例を説明するための説明図である。図１０を参照すると、ＳＰＣを用いて多重化されるＮ個の電力レイヤ（電力レイヤ０〜電力レイヤＮ−１）が示されている。基地局１００は、電力レイヤ１〜Ｎ−１の電力Ｐ１〜ＰＮ−１よりも大きい電力Ｐ０を電力レイヤ０に割り当てる。また、基地局１００は、電力レイヤ１〜Ｎ−１の送信信号系列をインタリーブするが、電力レイヤ０の送信信号系列をインタリーブしない。
【０１０４】
例えば、上記１つの電力レイヤ（例えば、上記１つの電力レイヤ）の送信信号系列は、電力割当てを用いた多重化／多元接続（例えば、ＳＰＣを用いた多重化／多元接続）をサポートしていないレガシ端末への送信信号系列である。当該レガシ端末は、換言すると、干渉除去のケイパビリティを有しない端末装置である。
【０１０５】
これにより、例えば、多重化信号に含まれる所望信号をレガシ端末が復号することが可能になる。即ち、周波数利用効率を上げつつ、後方互換性（backward  compatibility）を担保することができる。
【０１０６】
−端末装置２００の動作
−−受信処理
上述したように、端末装置２００は、上記複数の電力レイヤのうちの上記少なくとも１つの電力レイヤの各々に対応するデインタリーバを取得し、上記少なくとも１つの電力レイヤの各々に対応する上記デインタリーバを使用して受信処理を行う。
【０１０７】
例えば、上記少なくとも１つの電力レイヤは、上記複数の電力レイヤうちの、上記所定数の電力レイヤ（即ち、インタリービングの対象外の電力レイヤ）以外の上記１つ以上の電力レイヤ（即ち、インタリービングの対象となる電力レイヤ）に含まれる。端末装置２００（受信処理部２４３）は、上記所定数の電力レイヤ（即ち、インタリービングの対象外の電力レイヤ）の各々に対応するデインタリーバを使用することなく、受信処理を行う。
【０１０８】
なお、上記所定数の電力レイヤが１つの電力レイヤである例を説明したが、当然ながら、上記所定数の電力レイヤはこの例に限定されない。上記所定数の電力レイヤは２つ以上の電力レイヤであってもよい。
【０１０９】
−−インタリーバの使用の有無の判定
例えば、端末装置２００（受信処理部２４３）は、上記複数の電力レイヤのうちの、電力レイヤに対応するインタリーバを使用して送信信号系列が処理される当該電力レイヤ（以下、「インタリービングレイヤ」と呼ぶ）を判定する。
【０１１０】
例えば、端末装置２００（受信処理部２４３）は、より大きい電力を割り当てられる所定数の電力レイヤ以外の電力レイヤを上記インタリービングレイヤとして判定する。
【０１１１】
あるいは、後述するように、基地局１００が、電力レイヤの送信信号系列についてのインタリーバの使用の有無を、端末装置２００に通知してもよい。この場合に、端末装置２００（受信処理部２４３）は、基地局１００による通知情報に基づいて、上記インタリービングレイヤを判定してもよい。
【０１１２】
（ｄ−２）第２の例
上記１つ以上の電力レイヤ（即ち、インタリービングの対象となる電力レイヤ）は、上記複数の電力レイヤであってもよい。即ち、基地局１００（第２送信処理部１５３）は、上記複数の電力レイヤの各々について、電力レイヤに対応するインタリーバを使用して当該電力レイヤの送信信号系列をインタリーブしてもよい。このように、全ての電力レイヤがインタリービングの対象であってもよい。
【０１１３】
（ｅ）インタリービングの効果
上述したインタリービングにより、例えば、電力割当てを用いた多重化／多元接続が行われる場合に復号の精度をより高くすることが可能になる。
【０１１４】
より具体的には、例えば、干渉信号のインタリービングにより、フェージングの発生に起因するバースト誤りが抑えられる。そのため、干渉信号の復号の精度が高くなり、干渉除去の精度も高くなり、残留干渉が小さくなる。その結果、所望信号の復号の精度がより高くなり得る。また、例えば、所望信号のインタリービングによっても、フェージングの発生に起因するバースト誤りが抑えられ、所望信号の復号の精度が高くなる。
【０１１５】
さらに、とりわけ、干渉信号のために使用されるインタリーバと、所望信号のために使用されるインタリーバとが異なるので、干渉除去のたびに、残留干渉が分散する。これにより、残留干渉が蓄積されず、所望信号の復号の精度がさらに高くなる。
【０１１６】
図１１〜図１４を参照して具体例を説明する。図１１〜図１４は、第１の実施形態に係る信号の復号の例を説明するための説明図である。図１１を参照すると、端末装置２００Ａにおける電力レイヤ０の受信電力３１（即ち、所望信号の受信電力）と、端末装置２００Ａにおける電力レイヤ１の受信電力３３（即ち、干渉信号の受信電力）とが示されている。電力レイヤ０及び電力レイヤ１では、無線リソース３７Ａ、３７Ｂ、３７Ｃ、３７Ｄにおいて大きなフェージングが発生する。しかし、電力レイヤ１についてインタリービングが行われているので、デインタリービングが行われ、図１２に示されるようにフェージングの影響は分散する。その結果、電力レイヤ１の信号（即ち、干渉信号）が、高い精度で復号され、干渉信号レプリカも、高い精度で生成される。そして、受信信号から当該干渉レプリカが減算され、図１３に示されるように、残留干渉３５が小さくなる。また、電力レイヤ０についてもインタリービングが行われているので、デインタリービングが行われ、図１４に示されるようにフェージングの影響は分散する。また、電力レイヤ０についてのインタリービングと、電力レイヤ１についてのインタリービングとでは、異なるインタリーバが使用されるので、残留干渉３５は、デインタリービングに応じて分散する。
【０１１７】
なお、電力レイヤ間で同一のインタリーバが使用される場合には、干渉除去のたびに、残留干渉は分散せずに同様の箇所に蓄積されていくので、復号の精度が低くなり得る。
【０１１８】
さらに、図１５及び図１６を参照して、インタリービングに関するシミュレーションの結果の例を説明する。
【０１１９】
図１５は、インタリービングに関する第１のシミュレーションの結果を説明するための説明図である。第１のシミュレーションでは、２つの電力レイヤが多重化され、一方の電力レイヤには、４０％の電力が割り当てられ、他方の電力レイヤには、６０％の電力が割り当てられる。図１５には、当該第１のシミュレーションの結果として、上記一方のレイヤについての平均のＳＮＲ（Signal-to-Noise  Ratio）と平均のブロック誤り率（Block  Error  Rate：ＢＬＥＲ）との関係４１、４３が示されている。関係４１は、インタリービングがない場合の関係であり、関係４３は、インタリービングがある場合の関係である。インタリービングがない場合の関係４１と、インタリービングがある場合の関係４３とを比較すると、同じＳＮＲでのＢＬＥＲは、インタリービングがない場合よりも、インタリービングがある場合の方が低い。また、別の観点では、同じＢＬＥＲを実現するために必要なＳＮＲは、インタリービングがない場合よりも、インタリービングがある場合の方が低い。このように、インタリービングを行うことにより、復号の精度がより高くなる。
【０１２０】
図１６は、インタリービングに関する第２のシミュレーション結果を説明するための説明図である。第２のシミュレーションでは、２つの電力レイヤが多重化され、両方の電力レイヤに同じ電力（即ち、５０％の電力）が割り当てられる。図１６には、当該第２のシミュレーションの結果として、一方のレイヤについての平均のＳＮＲと平均のＢＬＥＲとの関係４５、４７が示されている。関係４５は、インタリービングがない場合の関係であり、関係４７は、インタリービングがある場合の関係である。インタリービングがない場合の関係４５と、インタリービングがある場合の関係４７とを比較すると、この例でも、同じＳＮＲでのＢＬＥＲは、インタリービングがない場合よりも、インタリービングがある場合の方が低い。また、別の観点では、同じＢＬＥＲを実現するために必要なＳＮＲは、インタリービングがない場合よりも、インタリービングがある場合の方が低い。このように、インタリービングを行うことにより、復号の精度がより高くなる。
【０１２１】
図１５及び図１６を参照して、インタリービングに関するシミュレーション結果を説明したが、これらのシミュレーションで使用されたパラメータは、以下のとおりである。
【０１２２】
【表１】
2016152175.tif 000024
【０１２３】
なお、インタリービングには、さらなる利点があり得る。図１５及び図１６の両方を参照すると、２つの電力レイヤの間の電力の差がより小さくなると、同じＳＮＲでのＢＬＥＲがより高くなる。これは、２つの電力レイヤの間の電力の差が小さくなると、干渉除去が困難になるからである。このような点を考慮すると、インタリービングを行うことにより、電力レイヤの間の電力の差が小さくてもある程度のＢＬＥＲが実現されるので、インタリービングの導入により、電力割当てについての自由度が高まり得るし、スケジューリングの制限が緩和され得る。また、インタリービングを行うことにより、ＳＮＲがより低い環境でもＳＰＣ多重化／多元接続が適用され得るので、インタリービングの導入により、ＳＰＣが適用可能なエリアが広がり得る。
【０１２４】
（２）端末装置への通知
（ａ）電力レイヤ
上述したように、基地局１００（第２送信処理部１５３）は、上記複数の電力レイヤのうちの上記１つ以上の電力レイヤの各々について、電力レイヤに対応するインタリーバを使用して当該電力レイヤの送信信号系列をインタリーブする。
【０１２５】
例えば、上記電力レイヤの上記送信信号系列は、ユーザ（即ち、端末装置２００）への送信信号系列であり、基地局１００（通知部１５７）は、上記電力レイヤを上記ユーザに通知する。これにより、例えば、上記ユーザは、上記ユーザへの信号が送信される電力レイヤを知ることが可能になる。
【０１２６】
例えば、基地局１００（通知部１５７）は、上記ユーザへのダウンリンク制御情報（Downlink  Control  Information：ＤＣＩ）の中で、上記電力レイヤを上記ユーザに通知する。基地局１００は、物理ダウンリンク制御チャネル（Physical  Downlink  Control  Channel：ＰＤＣＣＨ）上で当該ＤＣＩを送信する。具体的な処理として、通知部１５７は、上記電力レイヤを示す、上記ユーザへのＤＣＩを生成する。これにより、例えば、無線リソースの割当てのたびに、ユーザのための電力レイヤを動的に変更することが可能になる。
【０１２７】
（ｂ）電力レイヤ数
例えば、基地局１００（通知部１５７）は、上記複数の電力レイヤについての電力レイヤ数を上記ユーザに通知する。即ち、基地局１００（通知部１５７）は、多重化レイヤ数を上記ユーザに通知する。これにより、例えば、ユーザ（即ち、端末装置２００）が干渉除去を行うことが可能になる。
【０１２８】
例えば、基地局１００（通知部１５７）は、上記ユーザへのＤＣＩ、上記ユーザへのシグナリングメッセージ、又はシステム情報の中で、上記電力レイヤ数を上記ユーザに通知する。例えば、上記シグナリグメッセージは、ＲＲＣ（Radio  Resource  Control）メッセージであり、上記システム情報は、ＳＩＢ（System  Information  Block）である。具体的な処理として、通知部１５７は、上記電力レイヤ数を示す、上記ユーザへのＤＣＩ、上記電力レイヤ数を示す、上記ユーザへのシグナリングメッセージ、又は、上記電力レイヤ数を示すシステム情報を生成する。
【０１２９】
（ｃ）インタリーバの使用の有無
基地局１００（通知部１５７）は、上記ユーザへの上記送信信号系列（即ち、上記電力レイヤの送信信号系列）についてのインタリーバの使用の有無を、上記ユーザに通知してもよい。これにより、例えば、上記ユーザは、インタリーバの使用の有無をより容易に知ることが可能になる。
【０１３０】
基地局１００（通知部１５７）は、上記ユーザへのＤＣＩの中で、上記使用の有無を上記ユーザに通知してもよい。具体的な処理として、通知部１５７は、上記使用の有無を示す、上記ユーザへのＤＣＩを生成してもよい。これにより、例えば、無線リソースの割当てのたびに、インタリーバを使用するかを動的に変更することが可能になる。
【０１３１】
なお、基地局１００（通知部１５７）は、上記電力レイヤを含む上記複数の電力レイヤの各々の送信信号系列についてのインタリーバの使用の有無を、上記ユーザに通知してもよい。これにより、例えば、上記ユーザ（即ち、端末装置２００）は、各電力レイヤについてのインタリーバの使用の有無を容易に知ることが可能になる。そのため、干渉除去がより容易になり得る。
【０１３２】
（３）電力レイヤに割り当てられる送信電力
例えば、上記１つ以上の電力レイヤ（即ち、インタリービングの対象となる電力レイヤ）のうちの、より大きい送信電力を割り当てられる電力レイヤの送信信号系列は、より低い通信品質を伴うユーザへの送信信号系列である。また、上記１つ以上の電力レイヤのうちの、より小さい送信電力を割り当てられる電力レイヤの送信信号系列は、より高い通信品質を伴うユーザへの送信信号系列である。
【０１３３】
例えば、基地局１００（第３送信処理部１５５）は、電力レイヤの送信信号系列が、より低い通信品質を伴うユーザへの送信信号系列である場合に、当該電力レイヤにより大きい送信電力を割当てる。また、基地局１００（第３送信処理部１５５）は、電力レイヤの送信信号系列が、より高い通信品質を伴うユーザへの送信信号系列である場合に、当該電力レイヤにより小さい送信電力を割当てる。
【０１３４】
一例として、上記より低い通信品質は、より大きいパスロスであってもよく、上記より高い通信品質は、より小さいパスロスであってもよい。別の例として、上記より低い通信品質は、より小さいパスゲインであってもよく、上記より高い通信品質は、より大きいパスゲインであってもよい。さらに別の例として、上記より低い通信品質は、周波数効率がより低いＣＱＩ（Channel  Quality  Indicator）あるいは周波数効率がより低いＭＣＳ（Modulation  and  Coding  Scheme）であってもよく、上記より高い通信品質は、周波数効率がより高いＣＱＩあるいは周波数効率がより高いＭＣＳであってもよい。さらに別の例として、上記より低い通信品質は、より低いＳＩＮＲ（Signal-to-Interference-plus-Noise  Ratio）であってもよく、上記より高い通信品質は、より高いＳＩＮＲであってもよい。なお、当然ながら、上記通信品質は、これらの例に限定されない。
【０１３５】
これにより、例えば、より低い送信電力を割り当てられた電力レイヤの信号を復号するために、高機能な受信アルゴリズム（例えば、ＳＩＣなど）をより高精度で動作させることが可能になる。
【０１３６】
＜５．２．処理の流れ＞
次に、図１７〜図２８を参照して、第１の実施形態に係る処理の例を説明する。
【０１３７】
（１）送信処理
図１７は、第１の実施形態に係る基地局１００の送信処理の概略的な流れの一例を示すフローチャートである。
【０１３８】
基地局１００（第１送信処理部１５１）は、誤り訂正符号化及びレートマッチングを行うことにより、符号化ビット系列を生成する（Ｓ３０１）。
【０１３９】
上記符号化ビット系列がＳＰＣを用いて多重化され（Ｓ３０３：ＹＥＳ）、且つ、上記符号化ビット系列が、最大の電力が割り当てられる電力レイヤの符号化ビット系列ではない場合には（Ｓ３０５：ＮＯ）、基地局１００（第２送信処理部１５３）は、電力レイヤに対応するインタリーバを使用して、（当該電力レイヤの）上記符号化ビット系列をインタリーブする（Ｓ３０７）。
【０１４０】
そうでなければ（Ｓ３０３：ＮＯ、Ｓ３０５：ＹＥＳ）、スクランブリングが行われる場合に（Ｓ３０９：ＹＥＳ）、基地局１００（例えば、第２送信処理部１５３）は、上記符号化ビット系列をスクランブルする（Ｓ３１１）。このように、インタリービングが行われない場合に、スクランブリングが行われ得る。
【０１４１】
基地局１００（第３送信処理部１５５）は、（インタリーブされた、又はスクランブルされた）符号化ビット系列についての他の処理（例えば、変調及び電力割当てなど）を行う（Ｓ３１３）。そして、処理は終了する。
【０１４２】
（２）受信処理
（ａ）受信処理
図１８は、第１の実施形態に係る端末装置２００の受信処理の概略的な流れの一例を示すフローチャートである。例えば、当該受信処理は、サブフレームごとに行われる。
【０１４３】
端末装置２００（受信処理部２４３）は、制御チャネル上で送信されるダウンリンク制御情報（ＤＣＩ）を復号する（Ｓ３２１）。例えば、当該制御チャネルは、ＰＤＣＣＨである。
【０１４４】
端末装置２００に無線リソースが割当てられ（Ｓ３２３：ＹＥＳ）、且つ、ＳＰＣを用いた多重化が行われた場合には（Ｓ３２５：ＹＥＳ）、端末装置２００は、ＳＰＣ用の復号処理を行う（Ｓ３６０）。例えば、ＳＰＣ用の当該復号処理は、干渉除去（Interference  Cancellation：ＩＣ）、干渉抑圧（Interference  Suppression：ＩＳ）、又は最尤復号（Maximum  Likelihood  Decoding：ＭＬＤ）などである。そして、端末装置２００（処理部２４０）は、ＡＣＫ／ＮＡＣＫを基地局１００へ送信する（Ｓ３２７）。そして、処理は終了する。
【０１４５】
端末装置２００に無線リソースが割当てられ（Ｓ３２３：ＹＥＳ）、且つ、ＳＰＣを用いた多重化が行われていない場合には（Ｓ３２５：ＮＯ）、端末装置２００は、非ＳＰＣ用の復号処理を行う（Ｓ３４０）。例えば、非ＳＰＣ用の当該復号処理は、直交マルチアクセス（Orthogonal  Multiple  Access：ＯＭＡ）用の復号処理である。そして、端末装置２００（処理部２４０）は、ＡＣＫ／ＮＡＣＫを基地局１００へ送信する（Ｓ３２７）。そして、処理は終了する。
【０１４６】
端末装置２００に無線リソースが割当てられていない場合には（Ｓ３２３：ＮＯ）、処理は終了する。
【０１４７】
（ｂ）非ＳＰＣ用の復号処理
図１９は、非ＳＰＣ用の復号処理の概略的な流れの一例を示すフローチャートである。非ＳＰＣ用の当該復号処理は、図１８に示されるステップＳ３４０に相当する。
【０１４８】
端末装置２００（受信処理部２４３）は、基地局１００により送信されるリファレンス信号に基づいてチャネル推定を行う（Ｓ３４１）。例えば、当該リファレンス信号は、ＣＲＳ（Cell-specific  Reference  Signal）又はＤＭ−ＲＳ（Demodulation  Reference  Signal）である。例えば、送信の際にプリコーディング行列が使用されていない（又はプリコーディング行列として特定の行列（例えば単位行列若しくは対角行列）が使用されている）場合には、端末装置２００は、ＣＲＳに基づいてチャネル推定を行う。一方、送信の際に複数のプリコーディング行列の中から選択されたプリコーディング行列が使用されている場合には、端末装置２００は、ＤＭ−ＲＳに基づいてチャネル推定を行う。
【０１４９】
端末装置２００（受信処理部２４３）は、上記チャネル推定の結果に基づいて、チャネル等化重み及び／又は空間等化重みを生成し（Ｓ３４３）、当該チャネル等化重み及び／又は当該空間等化重みを使用して受信信号等化を行う（Ｓ３４５）。上記チャネル等化重みは、最小平均二乗誤差（Minimum  Mean  Square  Error：ＭＭＳＥ）規範に基づく線形等化重み行列であってもよく、又は、ＺＦ（Zero  Forcing）規範に基づく線形等化重み行列であってもよい。線形等化以外の手法として、最尤（Maximum  Likelihood：ＭＬ）検出、ＭＬ推定、繰返し干渉除去（Iterative  Detection/Iterative  Cancellation）又はターボ等化（Turbo  Equalization）などが用いられてもよい。
【０１５０】
端末装置２００（受信処理部２４３）は、上記受信信号等化の結果に基づいて、符号化ビット系列に対応する受信側の対数尤度比（Log  Likelihood  Ratio：ＬＬＲ）系列を生成する（Ｓ３４７）。
【０１５１】
送信側でスクランブリングが行われた場合には（Ｓ３４９：ＹＥＳ）、端末装置２００（受信処理部２４３）は、上記ＬＬＲ系列をデスクランブルする（Ｓ３５１）。
【０１５２】
端末装置２００（受信処理部２４３）は、（デスクランブリング後の）ＬＬＲ系列についての誤り訂正復号を実行する（Ｓ３５３）。例えば、当該誤り訂正復号は、ビタビ復号、ターボ復号又はＭＰＡ（Message  Passing  Algorithm）復号などである。
【０１５３】
端末装置２００（受信処理部２４３）は、復号後のビット系列についてＣＲＣを行う（Ｓ３５５）。即ち、端末装置２００は、正しく復号が行われたかをチェックする。そして、処理は終了する。
【０１５４】
（ｃ）ＳＰＣ用の復号処理（第１の例：ＳＩＣ）
（ｃ−１）処理全体
図２０は、ＳＰＣ用の復号処理の概略的な流れの第１の例を示すフローチャートである。ＳＰＣ用の当該復号処理は、図１８に示されるステップＳ３６０に相当する。とりわけ、当該第１の例は、ＳＩＣ（Successive  Interference  Cancellation）ベースの処理の例である。
【０１５５】
端末装置２００（受信処理部２４３）は、受信信号をバッファする（Ｓ３６１）。
【０１５６】
端末装置２００（受信処理部２４３）は、まだ選択されていない電力レイヤのうちの、より高い電力が割当てられる電力レイヤを対象レイヤとして選択する（Ｓ３６３）。
【０１５７】
端末装置２００（受信処理部２４３）は、上記対象レイヤについて適用されたトランスミッションモード（Transmission  Mode：ＴＭ）を判定する（Ｓ３６５）。また、端末装置２００（受信処理部２４３）は、上記対象レイヤについてインタリービング／スクランブリングが行われたかを判定する（Ｓ３６７）。そして、端末装置２００は、上記対象レイヤについて非ＳＰＣ用の復号処理を行う（Ｓ３８０）。
【０１５８】
上記対象レイヤの信号が端末装置２００への信号であれば（Ｓ３７１：ＹＥＳ）、処理は終了する。
【０１５９】
そうでなければ（Ｓ３７１：ＮＯ）、端末装置２００（受信処理部２４３）は、上記対象レイヤについて干渉信号レプリカ生成処理を行う（Ｓ４００）。端末装置２００（受信処理部２４３）は、当該干渉信号レプリカ生成処理を行うことにより、干渉信号レプリカを生成する。そして、端末装置２００（受信処理部２４３）は、バッファされた信号から上記干渉信号レプリカを減算し（Ｓ３７３）、減算後の信号を再びバッファする（Ｓ３７５）。そして、処理はステップＳ３６３へ戻る。
【０１６０】
なお、上述した例では、１ユーザに１レイヤのみが割り当てられる例であるが、第１の実施形態はこの例に限定されない。例えば、１ユーザに２レイヤ以上が割り当てられてもよい。この場合に、ステップＳ３７１で、対象レイヤの信号が端末装置２００への信号だったとしても、処理は、終了せずにステップＳ４００に進んでもよい。
【０１６１】
また、ステップＳ３６７におけるインタリービングが行われたかの判定は、対象レイヤが最大の電力の電力レイヤであるかに基づいて行われてもよく、又は、ＤＣＩの中で通知されるインタリーバの使用の有無に基づいて行われてもよい。
【０１６２】
（ｃ−２）対象レイヤについての非ＳＰＣ用の復号処理
図２１は、対象レイヤについての非ＳＰＣ用の復号処理の概略的な流れの一例を示すフローチャートである。非ＳＰＣ用の当該復号処理は、図２０に示されるステップＳ３８０に相当する。
【０１６３】
なお、ステップＳ３８１〜Ｓ３８７についての説明と、図１９に示されるステップＳ３４１〜Ｓ３４７についての説明との間には、特段の差異はない。よって、ステップＳ３８９〜Ｓ３９９のみを説明する。
【０１６４】
送信側でインタリービングが行われた場合には（Ｓ３８９：ＹＥＳ）、端末装置２００（受信処理部２４３）は、対象レイヤに対応するデインタリーバを使用して、ＬＬＲ系列をデインタリーブする（Ｓ３９１）。
【０１６５】
一方、送信側でインタリービングが行われていないが（Ｓ３８９：ＮＯ）、送信側でスクランブリングが行われた場合には（Ｓ３９３：ＹＥＳ）、端末装置２００（受信処理部２４３）は、ＬＬＲ系列をデスクランブルする（Ｓ３９５）。
【０１６６】
端末装置２００（受信処理部２４３）は、（デインタリーブ／デスクランブリング後の）ＬＬＲ系列についての誤り訂正復号を実行する（Ｓ３９７）。例えば、当該誤り訂正復号は、ビタビ復号、ターボ復号又はＭＰＡ復号などである。
【０１６７】
端末装置２００（受信処理部２４３）は、復号後のビット系列についてＣＲＣを行う（Ｓ３９９）。即ち、端末装置２００は、正しく復号が行われたかをチェックする。そして、処理は終了する。
【０１６８】
（ｃ−３）対象レイヤについての干渉信号レプリカ生成処理
図２２は、対象レイヤについての干渉信号レプリカ生成処理の概略的な流れの一例を示すフローチャートである。当該干渉信号レプリカ生成処理は、図２０に示されるステップＳ４００に相当する。
【０１６９】
対象レイヤのビット系列が正しく復号された場合には（Ｓ４０１：ＹＥＳ）、端末装置２００（受信処理部２４３）は、ビット系列を取得し（Ｓ４０３）、当該ビット系列についての誤り訂正符号化及びレートマッチングを行うことにより、符号化ビット系列を生成する（Ｓ４０５）。
【０１７０】
一方、上記対象レイヤのビット系列が正しく復号されなかった場合には（Ｓ４０１：ＮＯ）、端末装置２００（受信処理部２４３）は、ＬＬＲ系列を取得し（Ｓ４０７）、当該ＬＬＲ系列についてのレートマッチングを行う（Ｓ４０９）。上記ＬＬＲ系列は、誤り訂正復号処理の過程で生成される系列である。
【０１７１】
上記対象レイヤのビット系列が正しく復号されたか否かは（Ｓ４０１）、ＣＲＣの結果に基づいて判定可能である。
【０１７２】
送信側でインタリービングが行われた場合には（Ｓ４１１：ＹＥＳ）、端末装置２００（受信処理部２４３）は、上記対象レイヤに対応するインタリーバを使用して、上記符号化ビット系列（又は上記ＬＬＲ系列）をインタリーブする（Ｓ４１３）。
【０１７３】
一方、送信側でインタリービングが行われていないが（Ｓ４１１：ＮＯ）、送信側でスクランブリングが行われた場合には（Ｓ４１５：ＹＥＳ）、端末装置２００（受信処理部２４３）は、上記符号化ビット系列（又は上記ＬＬＲ系列）をスクランブルする（Ｓ４１７）。
【０１７４】
端末装置２００（受信処理部２４３）は、（インタリーブされた、又はスクランブルされた）上記符号化ビット系列（又は上記ＬＬＲ系列）についての他の処理（例えば、変調及び電力割当てなど）を行う（Ｓ４１９）。そして、処理は終了する。
【０１７５】
なお、例えば、上記ＬＬＲ系列についての他の処理として、上記ＬＬＲ系列についての軟変調（Soft  Modulation）が行われる。当該軟変調では、ＬＬＲ系列から、変調シンボル（例えば、ＢＰＳＫ、ＱＰＳＫ、８ＰＳＫ、１６ＰＳＫ、１６ＱＡＭ、６４ＱＡＭ又は２５６ＱＡＭなど）の信号点候補が生成される確率が算出されるので、変調シンボルの信号点の期待値を生成することが可能である。これにより、干渉信号レプリカの生成におけるビット復号誤りの影響を小さくすることが可能になる。
【０１７６】
（ｄ）ＳＰＣ用の復号処理（第２の例：ＰＩＣ）
（ｄ−１）処理全体
図２３は、ＳＰＣ用の復号処理の概略的な流れの第２の例を示すフローチャートである。ＳＰＣ用の当該復号処理は、図１８に示されるステップＳ３６０に相当する。とりわけ、当該第２の例は、ＰＩＣ（Parallel  Interference  Cancellation）ベースの処理の例である。
【０１７７】
端末装置２００（受信処理部２４３）は、受信信号をバッファする（Ｓ４２１）。
【０１７８】
端末装置２００（受信処理部２４３）は、複数の電力レイヤの各々について適用されたトランスミッションモード（ＴＭ）を判定する（Ｓ４２３）。また、端末装置２００（受信処理部２４３）は、上記複数の電力レイヤの各々についてインタリービング／スクランブリングが行われたかを判定する（Ｓ４２５）。そして、端末装置２００は、上記複数の電力レイヤについて並列復号処理を行う（Ｓ４４０）。
【０１７９】
自装置（端末装置２００）宛のビット系列が正しく復号された場合には（Ｓ４２７：ＹＥＳ）、処理は終了する。また、自装置（端末装置２００）宛のビット系列が正しく復号されなかったが（Ｓ４２７：ＮＯ）、並列復号処理が複数回実行された場合にも（Ｓ４２９：ＹＥＳ）、処理は終了する。
【０１８０】
そうでなければ（Ｓ４２９：ＮＯ）、端末装置２００（受信処理部２４３）は、干渉信号レプリカ生成処理を行う（Ｓ４７０）。端末装置２００（受信処理部２４３）は、当該干渉信号レプリカ生成処理を行うことにより、干渉信号レプリカを生成する。そして、端末装置２００（受信処理部２４３）は、バッファされた信号から上記干渉信号レプリカを減算し（Ｓ４３１）、減算後の信号を再びバッファする（Ｓ４３３）。そして、処理はステップＳ４４０へ戻る。
【０１８１】
なお、ステップＳ４２５におけるインタリービングが行われたかの判定は、電力レイヤが最大の電力の電力レイヤであるかに基づいて行われてもよく、又は、ＤＣＩの中で通知されるインタリーバの使用の有無に基づいて行われてもよい。
【０１８２】
（ｄ−２）復号処理
図２４は、並列復号処理の概略的な流れの一例を示すフローチャートである。当該並列復号処理は、図２０に示されるステップＳ４４０に相当する。
【０１８３】
端末装置２００（受信処理部２４３）は、複数のレイヤの各々について、基地局１００により送信されるリファレンス信号に基づいてチャネル推定を行う（Ｓ４４１）。例えば、当該リファレンス信号は、ＣＲＳ又はＤＭ−ＲＳである。例えば、送信の際にプリコーディング行列が使用されていない（又はプリコーディング行列として特定の行列（例えば単位行列若しくは対角行列）が使用されている）場合には、端末装置２００は、ＣＲＳに基づいてチャネル推定を行う。一方、送信の際に複数のプリコーディング行列の中から選択されたプリコーディング行列が使用されている場合には、端末装置２００は、ＤＭ−ＲＳに基づいてチャネル推定を行う。
【０１８４】
端末装置２００（受信処理部２４３）は、上記チャネル推定の結果に基づいて、チャネル等化重み及び／又は空間等化重みを生成し（Ｓ４４３）、当該チャネル等化重み及び／又は当該空間等化重みを使用して受信信号等化を行う（Ｓ４４５）。上記チャネル等化重みは、ＭＭＳＥ規範に基づく線形等化重み行列であってもよく、又は、ＺＦ規範に基づく線形等化重み行列であってもよい。線形等化以外の手法として、ＭＬ検出、ＭＬ推定、繰返し干渉除去、又はターボ等化などが用いられてもよい。
【０１８５】
端末装置２００（受信処理部２４３）は、上記複数のレイヤの中から対象レイヤを選択する（Ｓ４４９）。
【０１８６】
対象レイヤのビット系列が既に正しく復号されている場合には（Ｓ４４９：ＹＥＳ）、全ての電力レイヤが選択されていれば（Ｓ４６５：ＹＥＳ）、処理は終了し、全ての電力レイヤがまだ選択されていなければ（Ｓ４６５：ＮＯ）、処理はステップＳ４４７へ戻る。
【０１８７】
対象レイヤのビット系列がまだ正しく復号されていない場合には（Ｓ４４９：ＮＯ）、端末装置２００（受信処理部２４３）は、上記受信信号等化の結果に基づいて、符号化ビット系列に対応する受信側のＬＬＲ系列を生成する（Ｓ４５１）。
【０１８８】
送信側でインタリービングが行われた場合には（Ｓ４５３：ＹＥＳ）、端末装置２００（受信処理部２４３）は、対象レイヤに対応するデインタリーバを使用して、ＬＬＲ系列をデインタリーブする（Ｓ４５５）。
【０１８９】
一方、送信側でインタリービングが行われていないが（Ｓ４５３：ＮＯ）、送信側でスクランブリングが行われた場合には（Ｓ４５７：ＹＥＳ）、端末装置２００（受信処理部２４３）は、ＬＬＲ系列をデスクランブルする（Ｓ４５９）。
【０１９０】
端末装置２００（受信処理部２４３）は、（デインタリーブ／デスクランブリング後の）ＬＬＲ系列についての誤り訂正復号を実行する（Ｓ４６１）。例えば、当該誤り訂正復号は、ビタビ復号、ターボ復号又はＭＰＡ復号などである。
【０１９１】
端末装置２００（受信処理部２４３）は、復号後のビット系列についてＣＲＣを行う（Ｓ４６３）。即ち、端末装置２００は、正しく復号が行われたかをチェックする。そして、全ての電力レイヤが選択されていれば（Ｓ４６５：ＹＥＳ）、処理は終了し、全ての電力レイヤがまだ選択されていなければ（Ｓ４６５：ＮＯ）、処理はステップＳ４４７へ戻る。
【０１９２】
なお、フローチャートでの表現のために、ステップＳ４４７〜Ｓ４６５が繰返し処理として示されているが、当然ながら、ステップＳ４４７〜Ｓ４６５は、上記複数の電力レイヤの各々について並列に実行され得る。
【０１９３】
（ｄ−３）干渉レプリカの生成
図２５は、干渉信号レプリカ生成処理の概略的な流れの一例を示すフローチャートである。当該干渉信号レプリカ生成処理は、図２０に示されるステップＳ４００に相当する。
【０１９４】
端末装置２００（受信処理部２４３）は、複数のレイヤの中から対象レイヤを選択する（Ｓ４７１）。
【０１９５】
上記対象レイヤのビット系列が正しく復号されたが（Ｓ４７３：ＹＥＳ）、上記対象レイヤの正しく復号されたビット系列に基づいて、干渉信号レプリカが既に生成されていない場合には（Ｓ４７５：ＮＯ）、端末装置２００（受信処理部２４３）は、上記ビット系列を取得する（Ｓ４７７）。そして、端末装置２００（受信処理部２４３）は、当該ビット系列についての誤り訂正符号化及びレートマッチングを行うことにより、符号化ビット系列を生成する（Ｓ４４９）。
【０１９６】
上記対象レイヤの正しく復号されたビット系列に基づいて、干渉信号レプリカが既に生成された場合には（Ｓ４７５：ＹＥＳ）、全ての電力レイヤが選択されていれば（Ｓ４９７：ＹＥＳ）、処理は終了し、全ての電力レイヤがまだ選択されていなければ（Ｓ４９７：ＮＯ）、処理はステップＳ４７１へ戻る。
【０１９７】
上記対象レイヤのビット系列が正しく復号されていない場合には（Ｓ４７３：ＮＯ）、端末装置２００（受信処理部２４３）は、ＬＬＲ系列を取得し（Ｓ４８１）、当該ＬＬＲ系列についてのレートマッチングを行う（Ｓ４８３）。上記ＬＬＲ系列は、誤り訂正復号処理の過程で生成される系列である。
【０１９８】
上記対象レイヤのビット系列が正しく復号されたか否かは（Ｓ４７３）、ＣＲＣの結果に基づいて判定可能である。
【０１９９】
送信側でインタリービングが行われた場合には（Ｓ４８５：ＹＥＳ）、端末装置２００（受信処理部２４３）は、上記対象レイヤに対応するインタリーバを使用して、上記符号化ビット系列（又は上記ＬＬＲ系列）をインタリーブする（Ｓ４８７）。
【０２００】
一方、送信側でインタリービングが行われていないが（Ｓ４８５：ＮＯ）、送信側でスクランブリングが行われた場合には（Ｓ４８９：ＹＥＳ）、端末装置２００（受信処理部２４３）は、上記符号化ビット系列（又は上記ＬＬＲ系列）をスクランブルする（Ｓ４９１）。
【０２０１】
端末装置２００（受信処理部２４３）は、（インタリーブされた、又はスクランブルされた）上記符号化ビット系列（又は上記ＬＬＲ系列）についての他の処理（例えば、変調及び電力割当てなど）を行う（Ｓ４９３）。そして、端末装置２００（受信処理部２４３）は、生成された干渉信号レプリカをバッファする（Ｓ４９５）。そして、全ての電力レイヤが選択されていれば（Ｓ４９７：ＹＥＳ）、処理は終了し、全ての電力レイヤがまだ選択されていなければ（Ｓ４９７：ＮＯ）、処理はステップＳ４７１へ戻る。
【０２０２】
（３）通知
（ａ）第１の例
図２６は、基地局１００から端末装置２００への通知を含む処理の概略的な流れの第１の例を示すシーケンス図である。
【０２０３】
基地局１００は、端末装置２００へのシグナリングメッセージの中で、電力レイヤ数を端末装置２００に通知する（Ｓ５０１）。例えば、基地局１００は、上記電力レイヤ数を示す、端末装置２００へのＲＲＣメッセージを送信する。具体的として、基地局１００は、ランダムアクセス手続き若しくはハンドオーバ手続きの中で、又は、ランダムアクセス手続き若しくはハンドオーバ手続きの完了後に、上記ＲＲＣメッセージを送信する。
【０２０４】
端末装置２００は、チャネル状態情報（ＣＳＩ）を基地局１００に報告する（Ｓ５０３）。
【０２０５】
基地局１００は、スケジューリングを行う（Ｓ５０５）。
【０２０６】
基地局１００は、端末装置２００へのＤＣＩの中で、端末装置２００のための電力レイヤ（即ち、端末装置２００への信号を送信するための電力レイヤ）を端末装置２００に通知する（Ｓ５０７）。例えば、基地局１００は、上記電力レイヤを示す、端末装置２００へのＤＣＩをＰＤＣＣＨ上で送信する。
【０２０７】
基地局１００は、複数の端末装置２００への信号をＳＰＣを用いて多重化することにより（即ち、複数の電力レイヤを多重化することにより）、ＳＰＣ多重化信号を送信する。例えば、基地局１００は、物理ダウンリンク共有チャネル（Physical  Downlink  Shared  Channel：ＰＤＳＣＨ）上で上記ＳＰＣ多重化信号を送信する（Ｓ５０９）。
【０２０８】
端末装置２００は、受信処理を行い、ＡＣＫ／ＮＡＣＫを基地局１００へ送信する（Ｓ５１１）。
【０２０９】
（ｂ）第２の例
図２７は、基地局１００から端末装置２００への通知を含む処理の概略的な流れの第２の例を示すシーケンス図である。
【０２１０】
図２７に示されるステップＳ５２３〜Ｓ５３１についての説明は、図２８に示されるステップＳ５０３〜Ｓ５１１についての説明と同じである。よって、ここでは重複する記載を省略し、ステップＳ５２１のみを説明する。
【０２１１】
基地局１００は、ＳＩＢの中で、電力レイヤ数を端末装置２００に通知する（Ｓ５２１）。例えば、基地局１００は、上記電力レイヤ数を示すＳＩＢを送信する。
【０２１２】
（ｃ）第３の例
図２８は、基地局１００から端末装置２００への通知を含む処理の概略的な流れの第３の例を示すシーケンス図である。
【０２１３】
端末装置２００は、チャネル状態情報（ＣＳＩ）を基地局１００に報告する（Ｓ５４１）。
【０２１４】
基地局１００は、スケジューリングを行う（Ｓ５４３）。
【０２１５】
基地局１００は、端末装置２００へのＤＣＩの中で、電力レイヤ数、及び、端末装置２００のための電力レイヤ（即ち、端末装置２００への信号を送信するための電力レイヤ）を、端末装置２００に通知する（Ｓ５０７）。例えば、基地局１００は、上記電力レイヤ数及び上記電力レイヤを示す、端末装置２００へのＤＣＩをＰＤＣＣＨ上で送信する。
【０２１６】
基地局１００は、複数の端末装置２００への信号をＳＰＣを用いて多重化することにより（即ち、複数の電力レイヤを多重化することにより）、ＳＰＣ多重化信号を送信する。例えば、基地局１００は、ＰＤＳＣＨ上で上記ＳＰＣ多重化信号を送信する（Ｓ５４７）。
【０２１７】
端末装置２００は、受信処理を行い、ＡＣＫ／ＮＡＣＫを基地局１００へ送信する（Ｓ５４９）。
【０２１８】
＜５．３．第１の変形例＞
次に、図２９〜図３４を参照して、第１の実施形態の第１の変形例を説明する。
【０２１９】
（１）技術的特徴
上述したように、基地局１００は、ＳＰＣを用いた電力レイヤの多重化を多重化する。とりわけ、第１の実施形態の第１の変形例では、ＳＰＣを用いた電力レイヤの多重化を行いつつ、空間レイヤの多重化も行う。
【０２２０】
例えば、基地局１００は、１つ以上の空間レイヤの各々について、電力割当てを用いて多重化される複数の電力レイヤの送信信号系列を生成し、当該複数の電力レイヤのうちの１つ以上の電力レイヤの各々について、電力レイヤに対応するインタリーバを使用して当該電力レイヤの送信信号系列をインタリーブする。即ち、空間レイヤにおいて電力割当てを用いた多重化が行われる。
【０２２１】
（ａ）伝搬特性に基づく多重化
例えば、基地局１００は、ユーザ（端末装置２００）への伝搬特性を考慮して、空間レイヤ及び電力レイヤの多重化を行う。
【０２２２】
（ａ−１）プリコーディング行列
例えば、基地局１００は、ユーザ（端末装置２００）により使用されるプリコーディング行列を考慮して、空間レイヤ及び電力レイヤの多重化を行う。
【０２２３】
例えば、上記複数の電力レイヤの上記送信信号系列は、複数のユーザへの送信信号系列であり、当該複数のユーザは、同一のプリコーディング行列を使用するユーザである。即ち、同一のプリコーディング行列を使用する複数のユーザ（即ち、複数の端末装置２００）への送信信号系列が、同一の空間レイヤの異なる電力レイヤで送信される。
【０２２４】
（ａ−２）通信品質
例えば、基地局１００は、ユーザ（端末装置２００）の通信品質を考慮して、空間レイヤ及び電力レイヤの多重化を行う。
【０２２５】
例えば、上記複数の電力レイヤの上記送信信号系列は、複数のユーザへの送信信号系列であり、当該複数のユーザは、異なる通信品質を伴うユーザである。即ち、異なる通信品質を伴う複数のユーザ（即ち、複数の端末装置２００）への送信信号系列が、同一の空間レイヤの異なる電力レイヤで送信される。
【０２２６】
一例として、上記異なる通信品質は、異なるパスロスであってもよく、異なるパスゲインであってもよい。別の例として、上記異なる通信品質は、異なるＣＱＩあるいは異なるＭＣＳであってもよい。さらに別の例として、上記異なる通信品質は、異なるＳＩＮＲであってもよい。なお、当然ながら、上記異なる通信品質は、これらの例に限定されない。
【０２２７】
これにより、例えば、割り当てられる送信電力が電力レイヤ間で同じになることを回避することが可能になる。即ち、電力レイヤ間の電力差が得られ、干渉除去がより容易になり得る。
【０２２８】
（ａ−３）その他
基地局１００は、他の情報を考慮して、空間レイヤ及び電力レイヤの多重化を行ってもよい。具体例として、当該他の情報は、基地局１００と端末装置２００との間のチャネル応答、又はＲＩなどであってもよい。
【０２２９】
（ｂ）多重化の例
（ｂ−１）第１の例
図２９は、空間レイヤ及び電力レイヤの多重化の第１の例を説明するための説明図である。図２９を参照すると、多重化される空間レイヤ０及び空間レイヤ１と、各空間レイヤにおいて多重化される電力レイヤ０〜Ｎ−１に割り当てられる送信電力とが示されている。この例では、空間レイヤ０と空間レイヤ１との間で、電力レイヤ０〜Ｎ−１の各々に割り当てられる送信電力が同じである。例えば、空間レイヤ０及び空間レイヤ１の両方において、電力レイヤ０に割り当てられる送信電力は、電力Ｐ０であり、電力レイヤ１に割り当てられる送信電力は、電力Ｐ１であり、電力レイヤＮ−１に割り当てられる送信電力は、電力ＰＮ−１である。
【０２３０】
（ｂ）多重化の例
（ｂ−２）第２の例
図３０は、空間レイヤ及び電力レイヤの多重化の第２の例を説明するための説明図である。図３０を参照すると、多重化される空間レイヤ０及び空間レイヤ１と、各空間レイヤにおいて多重化される電力レイヤ０〜Ｎ−１に割り当てられる送信電力とが示されている。この例では、空間レイヤ０と空間レイヤ１との間で、電力レイヤ０〜Ｎ−１の各々に割り当てられる送信電力は、同じであるとは限らず、異なり得る。例えば、空間レイヤ０において電力レイヤ０に割り当てられる送信電力は電力Ｐ０（０）であるが、空間レイヤ１において電力レイヤ０に割り当てられる送信電力は電力Ｐ０（１）（＞Ｐ０（０））である。また、例えば、空間レイヤ０において電力レイヤＮ−１に割り当てられる送信電力は電力ＰＮ−１（０）であるが、空間レイヤ１において電力レイヤＮ−１に割り当てられる送信電力は電力ＰＮ−１（１）（＜ＰＮ−１（０））である。
【０２３１】
（２）処理の流れ
（ａ）多重化のための選択
図３１は、第１の実施形態の第１の変形例に係る多重化決定処理の概略的な流れの一例を示すフローチャートである。例えば、当該多重化決定処理の各ステップは、基地局１００の処理部１５０により行われる。
【０２３２】
基地局１００は、第１のトランスミッションモード（ＴＭ）を選択する（Ｓ５６１）。当該第１のＴＭは、空間多重化及びＳＰＣ多重化の両方が行われるＴＭである。
【０２３３】
上記第１のＴＭをサポートするユーザ（端末装置２００）がいない場合には（Ｓ５６３：ＮＯ）、基地局１００は、他の選択処理を行う（Ｓ６００）。そして、処理は終了する。
【０２３４】
上記第１のＴＭをサポートするユーザ（端末装置２００）がいる場合には（Ｓ５６３：ＹＥＳ）、基地局１００は、上記第１のＴＭをサポートするユーザの集合を集合Ａとする。
【０２３５】
空間レイヤに空きがない場合には（Ｓ５６９：ＮＯ）、処理は終了する。空間レイヤに空きがある場合には（Ｓ５６９：ＹＥＳ）、基地局１００は、集合Ａからユーザａを選択する（Ｓ５７１）。なお、ユーザａのＰＭＩは、既に決まっている他の空間レイヤのＰＭ）とは異なる。
【０２３６】
基地局１００は、ユーザａのＰＭＩ（Precoding  Matrix  Indicator）を確認する（Ｓ５７３）。ＰＭＩがユーザａと同じである他のユーザが集合Ａの中にいない場合には（Ｓ５７５：ＮＯ）、処理はステップＳ５６９へ戻る。ＰＭＩがユーザａと同じである他のユーザが集合Ａの中にいる場合には（Ｓ５７５：ＹＥＳ）、基地局１００は、ＰＭＩがユーザａと同じである他のユーザの集合を集合Ｂとする。
【０２３７】
基地局１００は、ユーザａのＣＱＩを確認する（Ｓ５７９）。ＣＱＩがユーザａと異なる他のユーザが集合Ｂの中にいない場合には（Ｓ５８１：ＮＯ）、処理はステップＳ５６９へ戻る。ＣＱＩがユーザａと異なる他のユーザが集合Ｂの中にいる場合には（Ｓ５８１：ＹＥＳ）、基地局１００は、ＣＱＩがユーザａと異なる他のユーザの集合を集合Ｃとする（Ｓ５８３）。
【０２３８】
基地局１００は、集合Ｃからユーザｃを選択し（Ｓ５８５）、ユーザａ及びユーザｃを同じ空間レイヤでＳＰＣを用いて多重化することを決定する（Ｓ５８７）。そして、基地局１００は、集合Ａからユーザａ及びユーザｃを削除し（Ｓ５８９）、処理はステップＳ５６９へ戻る。
【０２３９】
以上のように、ステップＳ５６９〜Ｓ５８９が、空間レイヤに空きがある限り（且つ候補ユーザがいる限り）繰り返される。
【０２４０】
なお、上述した例では、通信品質としてＣＱＩが用いられているが、ＣＱＩの代わりにＭＣＳ、パスロス又はパスゲインなどが用いられてもよい。
【０２４１】
（ｂ）他の選択
図３２は、他の選択処理の概略的な流れの一例を示すフローチャートである。当該他の選択処理は、図３０に示されるステップＳ６００に相当する。例えば、当該他の選択処理の各ステップは、基地局１００の処理部１５０により行われる。
【０２４２】
基地局１００は、第２のトランスミッションモード（ＴＭ）を選択する（Ｓ６０１）。当該第２のＴＭは、空間多重化は行われないがＳＰＣ多重化が行われるＴＭである。
【０２４３】
上記第２のＴＭをサポートするユーザ（端末装置２００）がいない場合には（Ｓ６０３：ＮＯ）、基地局１００は、さらに他の選択処理を行う（Ｓ６０５）。そして、処理は終了する。
【０２４４】
上記第２のＴＭをサポートするユーザ（端末装置２００）がいる場合には（Ｓ６０３：ＹＥＳ）、基地局１００は、上記第２のＴＭをサポートするユーザの集合を集合Ａとする（Ｓ６０７）。そして、基地局１００は、集合Ａからユーザａを選択する（Ｓ６０９）。
【０２４５】
基地局１００は、ユーザａのＣＱＩを確認する（Ｓ６１１）。ＣＱＩがユーザａと異なる他のユーザが集合Ｂの中にいない場合には（Ｓ６１３：ＮＯ）、処理は終了する。ＣＱＩがユーザａと異なる他のユーザが集合Ｂの中にいる場合には（Ｓ６１３：ＹＥＳ）、基地局１００は、ＣＱＩがユーザａと異なる他のユーザの集合を集合Ｃとする（Ｓ６１５）。
【０２４６】
基地局１００は、集合Ｃからユーザｃを選択し（Ｓ６１７）、ユーザａ及びユーザｃを同じ空間レイヤでＳＰＣを用いて多重化することを決定する（Ｓ６１９）。そして、基地局１００は、集合Ａからユーザａ及びユーザｃを削除し（Ｓ６２１）、処理は終了する。
【０２４７】
なお、上述した例では、通信品質としてＣＱＩが用いられているが、ＣＱＩの代わりにＭＣＳ、パスロス又はパスゲインなどが用いられてもよい。
【０２４８】
（ｃ）送信電力の決定
図３３は、第１の実施形態の第１の変形例に係る送信電力決定処理の概略的な流れの一例を示すフローチャートである。例えば、当該送信電力決定処理の各ステップは、基地局１００の処理部１５０により行われる。
【０２４９】
基地局１００は、送信信号が同一の空間レイヤにマッピングされるユーザａ及びユーザｃのＣＱＩを比較する（Ｓ６３１）。
【０２５０】
ユーザａのＣＱＩがユーザｃのＣＱＩよりも周波数利用効率が低い場合には（Ｓ６３３：ＹＥＳ）、基地局１００（処理部１５０）は、より大きい送信電力をユーザａの電力レイヤに割り当て、より小さい送信電力をユーザｃの電力レイヤに割り当てることを決定する（Ｓ６３５）。そして、処理は終了する。その後、基地局１００（第３送信処理部１５５）は、上記より大きい送信電力を、ユーザａへの信号が送信される電力レイヤに割り当て、上記より小さい送信電力を、ユーザｃへの信号が送信される電力レイヤに割り当てる。
【０２５１】
ユーザａのＣＱＩがユーザｃのＣＱＩよりも周波数利用効率が高い場合には（Ｓ６３３：ＮＯ）、基地局１００（処理部１５０）は、より小さい送信電力をユーザａの電力レイヤに割り当て、より大きい送信電力をユーザｃの電力レイヤに割り当てることを決定する（Ｓ６３７）。その後、基地局１００（第３送信処理部１５５）は、上記より小さい送信電力を、ユーザａへの信号が送信される電力レイヤに割り当て、上記より大きい送信電力を、ユーザｃへの信号が送信される電力レイヤに割り当てる。
【０２５２】
なお、上述した例では、通信品質としてＣＱＩが用いられているが、ＣＱＩの代わりにＭＣＳ、パスロス又はパスゲインなどが用いられてもよい。
【０２５３】
（ｄ）送信処理
図３４は、第１の実施形態の第１の変形例に係る基地局１００の送信処理の概略的な流れの一例を示すフローチャートである。
【０２５４】
基地局１００（第１送信処理部１５１）は、誤り訂正符号化及びレートマッチングを行うことにより、符号化ビット系列を生成する（Ｓ６５１）。
【０２５５】
上記符号化ビット系列が空間レイヤ内でＳＰＣを用いて多重化され（Ｓ６５３：ＹＥＳ）、且つ、上記符号化ビット系列が、上記空間レイヤ内で最大の電力が割り当てられる電力レイヤの符号化ビット系列ではない場合には（Ｓ６５５：ＮＯ）、基地局１００（第２送信処理部１５３）は、電力レイヤに対応するインタリーバを使用して、（当該電力レイヤの）上記符号化ビット系列をインタリーブする（Ｓ６５７）。
【０２５６】
そうでなければ（Ｓ６５３：ＮＯ、Ｓ６５５：ＹＥＳ）、スクランブリングが行われる場合に（Ｓ６５９：ＹＥＳ）、基地局１００（例えば、第２送信処理部１５３）は、上記符号化ビット系列をスクランブルする（Ｓ６６１）。このように、インタリービングが行われない場合に、スクランブリングが行われ得る。
【０２５７】
基地局１００（第３送信処理部１５５）は、（インタリーブされた、又はスクランブルされた）符号化ビット系列についての他の処理（例えば、変調及び電力割当てなど）を行う（Ｓ６６３）。そして、処理は終了する。
【０２５８】
なお、上述した例では、通信品質としてＣＱＩが用いられているが、ＣＱＩの代わりにＭＣＳ、パスロス又はパスゲインなどが用いられてもよい。
【０２５９】
＜５．４．第２の変形例＞
次に、第１の実施形態の第２の変形例を説明する。
【０２６０】
第１の実施形態の上述した例では、基地局１００（第２送信処理部１５３）は、上記複数の電力レイヤのうちの１つ以上の電力レイヤの各々について、電力レイヤに対応するインタリーバを使用して当該電力レイヤの送信信号系列を処理する。また、端末装置２００（情報取得部２４１）は、上記複数の電力レイヤのうちの少なくとも１つの電力レイヤの各々に対応するデインタリーバを使用して、受信処理を行う。
【０２６１】
一方、とりわけ第２の変形例では、電力レイヤに対応するインタリーバ及びデインタリーバの代わりに、電力レイヤに対応するスクランブラ及びデスクランブラが使用される。即ち、基地局１００（第２送信処理部１５３）は、上記複数の電力レイヤのうちの１つ以上の電力レイヤの各々について、電力レイヤに対応するスクランブラを使用して当該電力レイヤの送信信号系列を処理する。また、端末装置２００（情報取得部２４１）は、上記複数の電力レイヤのうちの少なくとも１つの電力レイヤの各々に対応するスクランブラを使用して、受信処理を行う。
【０２６２】
これにより、例えば、電力レイヤに対応するインタリーバ及びデインタリーバが使用される場合と同等の又は類似する効果が得られる。即ち、電力割当てを用いた多重化／多元接続が行われる場合に復号の精度がより高くなり得る。
【０２６３】
なお、「インタリーバ」が「スクランブラ」と読み替えられ、「インタリーブ」が「スクランブル」と読み替えられ、「インタリービング」が「スクランブリング」と読み替えられ、「デインタリーバ」が「デスクランブラ」と読み替えられ、「デインタリーブ」が「デスクランブル」と読み替えられ、「デインタリービング」が「デスクランブリング」と読み替えられる点を除き、第２の変形例についての説明は、第１の実施形態の上述した例（第１の変形例を含む）についての説明と特段の差異はない。よって、ここでは重複する記載を省略する。
【０２６４】
一例として、ユーザｕ（又は電力レイヤｕ）のスクランブリングの入力ビット系列のｉ番目のビットをｂｕ（ｉ）とし、スクランブリング用系列のｉ番目のビットをｃｕ（ｉ）とすると、スクランブリングの出力ビット系列のｉ番目のビットｂｕ〜（ｉ）は、以下のように表される。
【０２６５】
【数２２】
2016152175.tif 000025
【０２６６】
即ち、ビットｃｕ（ｉ）が０であれば、上記出力ビット系列のｉ番目のビットｂｕ〜（ｉ）は、上記入力ビット系列のｉ番目のビットをｂｕ（ｉ）と同じである。一方、ビットｃｕ（ｉ）が１であれば、上記出力ビット系列のｉ番目のビットｂｕ〜（ｉ）は、上記入力ビット系列のｉ番目のビットｂｕ（ｉ）の反転（０から１、又は１から０）により得られるビットである。
【０２６７】
上記スクランブリング用系列は、スクランブリングパターンであるとも言える。また、上記入力ビット系列及び上記出力ビット系列は、スクランブラの入力ビット系列及び出力ビット系列であるとも言える。
【０２６８】
スクランブリングの具体例を説明したが、当然ながら、デスクランブリングでは、スクランブリングとは逆の処理が行われる。
【０２６９】
＜＜６．第２の実施形態＞＞
続いて、図３５〜図３８を参照して、第２の実施形態を説明する。
【０２７０】
＜６．１．技術的特徴＞
まず、図３５を参照して、第２の実施形態に係る技術的特徴を説明する。
【０２７１】
（１）レイヤ位相回転
基地局１００（第１送信処理部１５１）は、電力割当てを用いて多重化される複数の電力レイヤの送信信号系列を生成する。そして、基地局１００（第２送信処理部１５３）は、上記複数の電力レイヤのうちの１つ以上の電力レイヤの各々について、電力レイヤに対応する位相係数を使用して当該電力レイヤの送信信号系列を処理する。より具体的には、基地局１００（第２送信処理部１５３）は、上記電力レイヤに対応する上記位相係数を使用して上記電力レイヤの上記送信信号系列の位相を回転させる。
【０２７２】
端末装置２００（情報取得部２４１）は、上記複数の電力レイヤのうちの少なくとも１つの電力レイヤの各々に対応する位相係数を取得する。そして、端末装置２００（受信処理部２４１）は、上記少なくとも１つの電力レイヤの各々に対応する上記位相係数を使用して、受信処理を行う。
【０２７３】
なお、例えば、上記送信信号系列は、送信されるデータ信号の系列であり、基地局１００（第２送信処理部１５３）は、電力レイヤに対応する位相係数を使用してリファレンス信号の位相を回転させない。
【０２７４】
（ａ）電力割当てを用いた多重化
例えば、上記複数の電力レイヤは、ＳＰＣを用いて多重化される電力レイヤである。
【０２７５】
（ｂ）送信信号系列の生成
例えば、上記送信信号系列は、シンボル系列である。基地局１００（第１送信処理部１５１）は、上記複数の電力レイヤのシンボル系列を生成する。
【０２７６】
具体的には、例えば、第１送信処理部１５１は、上記複数の電力レイヤの各々について、（例えば図１及び図２に示されるような）ＣＲＣ符号化、ＦＥＣ符号化、レートマッチング、スクランブリング／インタリービング、変調、レイヤマッピング及び／又は電力割当てなどを行うことにより、電力レイヤのシンボル系列を生成する。
【０２７７】
（ｃ）レイヤに対応する位相係数
（ｃ−２）第１の例：電力レイヤに固有の位相係数
第１の例として、上記電力レイヤに対応する上記位相係数は、上記電力レイヤに固有の位相係数である。この場合に、例えば、上記電力レイヤに固有の位相係数は、（例えば、上記ユーザにより）上電力レイヤに関する情報（例えば、電力レイヤのインデックス）に基づいて生成される。
【０２７８】
これにより、例えば、端末装置２００は各電力レイヤの位相係数を容易に取得することが可能になる。
【０２７９】
（ｃ−２）第２の例：ユーザに固有の位相係数
第２の例として、上記電力レイヤの上記送信信号系列は、ユーザ（即ち、端末装置２００）への送信信号系列であり、上記電力レイヤに対応する位相係数は、上記ユーザに固有の位相係数であってもよい。１ユーザに２つ以上の電力レイヤが割り当てられる（即ち、２つ以上のレイヤの送信信号系列が同じユーザへの送信信号系列である）ことはなく、１ユーザには１つの電力レイヤのみが割り当てられてもよい。
【０２８０】
上記ユーザに固有の上記位相係数は、（例えば、上記ユーザにより）上記ユーザの識別情報に基づいて生成されてもよい。当該識別情報は、上記ユーザのＲＮＴＩであってもよい。
【０２８１】
これにより、例えば、端末装置２００は電力レイヤに関する情報（例えば、電力レイヤのインデックス）なしに位相係数を取得することが可能になる。
【０２８２】
（ｃ−３）位相係数の例
−送信側
例えば、送信側の位相係数（即ち、基地局１００により使用される位相係数）は、以下のような係数である。
【０２８３】
【数２３】
2016152175.tif 000026
【０２８４】
ＮＰは、電力レイヤ数であり、ＮＳＬは、空間レイヤ数であり、ＮＳＣは、サブキャリア数であり、ＮＳＹＭは、サブフレーム又はスロットあたりのシンボル数であり、ｐは、電力レイヤインデックスであり、ｌは、空間レイヤインデックスであり、ｋは、サブキャリアインデックスであり、ｔは、シンボルインデックスである。
【０２８５】
−受信側
例えば、受信側の位相係数（即ち、端末装置２００により使用される位相係数）は、以下のような係数である。
【０２８６】
【数２４】
2016152175.tif 000027
【０２８７】
これにより、送信側の位相回転と逆の位相回転（即ち、元に戻すための回転）が実行される。
【０２８８】
（ｄ）１つ以上のレイヤ
上記１つ以上のレイヤについての説明は、第１の実施形態と第２の実施形態との間に特段の差異はない。よって、ここでは重複する記載を省略する。
【０２８９】
（ｅ）位相回転の例
（ｅ−１）第１の例
第１の例として、上記電力レイヤに対応する上記位相係数は、上記電力レイヤに対応する周波数シフト量である。
【０２９０】
より具体的には、例えば、以下のように、電力レイヤの信号（シンボル）の位相を回転させる（即ち、電力レイヤの信号を周波数方向にシフトさせる）。
【０２９１】
【数２５】
2016152175.tif 000028
【０２９２】
ｓｉ,ｕ（ｔ）は、位相回転前の時間ｔにおける、セルｉのユーザｕへの信号サンプル（シンボル）であり、ｓ＾ｉ,ｕ（ｔ）は、位相回転後の信号サンプルである。また、△Ｔは、サンプル間隔である。さらに、Ｆｓｈｉｆｔ,ｉ,ｕは、位相係数であり、より具体的には周波数シフト量である。
【０２９３】
（ｅ−２）第２の例
第２の例として、上記電力レイヤに対応する上記位相係数は、上記電力レイヤに対応する時間シフト量であってもよい。
【０２９４】
より具体的には、以下のように、電力レイヤの信号（シンボル）の位相を回転させてもよい（即ち、電力レイヤの信号を時間方向にシフトさせてもよい）。
【０２９５】
【数２６】
2016152175.tif 000029
【０２９６】
Ｓｉ,ｕ（ｋ）は、位相回転前の周波数ｋ（例えば、サブキャリアｋ）のシンボル（且つセルｉのユーザｕへのシンボル）であり、Ｓ＾ｉ,ｕ（ｋ）は、位相回転後のシンボルである。また、△Ｆは、周波数間隔（例えば、サブキャリア間隔）である。さらに、Ｔｓｈｉｆｔ,ｉ,ｕは、位相係数であり、より具体的には時間シフト量である。
【０２９７】
なお、基地局１００が逆フーリエ変換を行う場合には、以下のように、電力レイヤの信号（シンボル）の位相を回転させてもよい（即ち、電力レイヤの信号を時間方向にシフトさせてもよい）。
【０２９８】
【数２７】
2016152175.tif 000030
【０２９９】
ｓ＾ｉ,ｕ（ｔ）は、位相回転後の時間ｔにおける、セルｉのユーザｕへの信号サンプル（シンボル）である。
【０３００】
（ｆ）位相回転の効果
上述した位相回転により、例えば、電力割当てを用いた多重化／多元接続が行われる場合に復号の精度をより高くすることが可能になる。
【０３０１】
より具体的には、例えば、上述したように、ＳＰＣを用いて多重化される複数の電力レイヤでは、同様にフェージング（例えば、周波数選択性及び／又は時間選択性のフェージング）が発生する。即ち、複数の電力レイヤ間で同様にチャネルが変動する。そこで、電力レイヤごとに異なる位相回転を行うことにより、電力レイヤごとにチャネル変動を擬似的にずらすことが可能になる。例えば、時間方向における線形にシフトにより、周波数領域ではチャネル変動を周波数方向にシフトさせることができる。これにより、例えば、大きなフェージングが発生する箇所が電力レイヤごとに異なるようになり、擬似的な空間ダイバーシティ効果が得られ、干渉除去及び復号の精度が向上し得る。
【０３０２】
図３５を参照して具体例を説明する。図３５は、チャネル変動の周波数方向へのシフトの例を説明するための説明図である。図３５を参照すると、電力レイヤ１についての周波数方向へのシフト前の電力レイヤ０の受信電力３１及び電力レイヤ１の受信電力３３と、当該シフト後の電力レイヤ０の受信電力３１及び電力レイヤ１の受信電力３３とが、示されている。上記シフト前は、電力レイヤ０及び電力レイヤ１について大きなフェージングが発生する箇所は、周波数３８であるが、上記シフト後は、電力レイヤ１について大きなフェージングが発生する箇所が、箇所３８から箇所３９に擬似的にシフトされる。その結果、電力レイヤ０と電力レイヤ１との間で、大きなフェージングが発生する箇所が異なるようになり、干渉除去及び復号の精度が向上し得る。
【０３０３】
（２）端末装置への通知
（ａ）電力レイヤ
上述したように、基地局１００（第２送信処理部１５３）は、上記複数の電力レイヤのうちの上記１つ以上の電力レイヤの各々について、電力レイヤに対応する位相係数を使用して当該電力レイヤの送信信号系列の位相を回転させる。
【０３０４】
例えば、上記電力レイヤの上記送信信号系列は、ユーザ（即ち、端末装置２００）への送信信号系列であり、基地局１００（通知部１５７）は、上記電力レイヤを上記ユーザに通知する。これにより、例えば、上記ユーザは、上記ユーザへの信号が送信される電力レイヤを知ることが可能になる。
【０３０５】
例えば、基地局１００（通知部１５７）は、上記ユーザへのＤＣＩの中で、上記電力レイヤを上記ユーザに通知する。基地局１００は、ＰＤＣＣＨ上で当該ＤＣＩを送信する。具体的な処理として、通知部１５７は、上記電力レイヤを示す、上記ユーザへのＤＣＩを生成する。これにより、例えば、無線リソースの割当てのたびに、ユーザのための電力レイヤを動的に変更することが可能になる。
【０３０６】
（ｂ）電力レイヤ数
電力レイヤ数の通知についての説明は、第１の実施形態と第２の実施形態との間で特段の差異はない。よって、ここでは重複する記載を省略する。
【０３０７】
（ｃ）位相係数の使用の有無
基地局１００（通知部１５７）は、上記ユーザへの上記送信信号系列（即ち、上記電力レイヤの送信信号系列）についての位相係数の使用の有無を、上記ユーザに通知してもよい。これにより、例えば、上記ユーザは、位相係数の使用の有無をより容易に知ることが可能になる。
【０３０８】
基地局１００（通知部１５７）は、上記ユーザへのＤＣＩの中で、上記使用の有無を上記ユーザに通知してもよい。具体的な処理として、通知部１５７は、上記使用の有無を示す、上記ユーザへのＤＣＩを生成してもよい。これにより、例えば、無線リソースの割当てのたびに、位相係数を使用するかを動的に変更することが可能になる。
【０３０９】
なお、基地局１００（通知部１５７）は、上記電力レイヤを含む上記複数の電力レイヤの各々の送信信号系列についての位相係数の使用の有無を、上記ユーザに通知してもよい。これにより、例えば、上記ユーザ（即ち、端末装置２００）は、各電力レイヤについての位相係数の使用の有無を容易に知ることが可能になる。そのため、干渉除去がより容易になり得る。
【０３１０】
（３）電力レイヤに割り当てられる送信電力
電力レイヤに割り当てられる電力についての説明は、第１の実施形態と第２の実施形態との間に特段の差異はない。よって、ここでは重複する記載を省略する。
【０３１１】
＜６．２．処理の流れ＞
次に、図３６及び図３７を参照して、第２の実施形態に係る処理の例を説明する。
【０３１２】
（１）送信処理
図３６は、第２の実施形態に係る基地局１００の送信処理の概略的な流れの一例を示すフローチャートである。
【０３１３】
基地局１００（第１送信処理部１５１）は、誤り訂正符号化及びレートマッチングを行うことにより、符号化ビット系列を生成する（Ｓ６７１）。さらに、基地局１００（第１送信処理部１５１）は、上記符号化ビット系列についての他の処理（変調及び電力割当てなど）の実行により、シンボル系列を生成する（Ｓ６７３）。
【０３１４】
上記シンボル系列がＳＰＣを用いて多重化され（Ｓ６７５：ＹＥＳ）、且つ、上記シンボル系列が、最大の電力が割り当てられる電力レイヤのシンボル系列ではない場合には（Ｓ６７７：ＮＯ）、基地局１００（第２送信処理部１５３）は、電力レイヤに対応する位相係数を使用して、（当該電力レイヤの）上記シンボル系列の位相を回転させる（Ｓ６７９）。
【０３１５】
基地局１００（第３送信処理部１５５）は、（位相回転後の）シンボル系列についてのプリコーディングを行う（Ｓ６８１）。そして、処理は終了する。
【０３１６】
（２）受信処理
図３７は、第２の実施形態に係る端末装置２００の受信処理の概略的な流れの一例を示すフローチャートである。
【０３１７】
ＳＰＣによる多重化が行われ（Ｓ６９１：ＹＥＳ）、且つ、送信時に電力レイヤについて位相回転が行われた場合には（Ｓ６９３：ＹＥＳ）、端末装置２００は、上記電力レイヤに対応する位相係数を使用して、上記電力レイヤのシンボル系列の位相を回転させる（Ｓ６９５）。この回転は、送信時の回転と逆の回転である。そして、処理は終了する。
【０３１８】
そうでなければ（Ｓ６９１：ＮＯ、又は、Ｓ６９３：ＮＯ）、位相回転なしに、処理は終了する。
【０３１９】
＜６．３．変形例＞
次に、図３８を参照して、第２の実施形態の変形例を説明する。
【０３２０】
上述したように、基地局１００は、ＳＰＣを用いた電力レイヤの多重化を多重化する。とりわけ、第２の実施形態の変形例では、ＳＰＣを用いた電力レイヤの多重化を行いつつ、空間レイヤの多重化も行う。
【０３２１】
例えば、基地局１００は、１つ以上の空間レイヤの各々について、電力割当てを用いて多重化される複数の電力レイヤの送信信号系列を生成し、当該複数の電力レイヤのうちの１つ以上の電力レイヤの各々について、電力レイヤに対応する位相係数を使用して当該電力レイヤの送信信号系列の位相を回転させる。即ち、空間レイヤにおいて電力割当てを用いた多重化が行われる。以下、図３８を参照して具体例を説明する。
【０３２２】
図３８は、空間多重化及び電力割当てを用いた多重化の組合せのケースにおける処理の例を説明するための説明図である。図３８を参照すると、１つの空間レイヤにおける処理４１及び処理４３が示されている。処理４１は、位相回転であり、処理４３は、プリコーディングである。より具体的には、処理４１では、電力レイヤ０〜ＮＰ−１の各々について、電力レイヤに対応する位相係数を使用して、当該電力レイヤのシンボル系列の位相が回転される。即ち、電力レイヤごとに、異なる位相回転が行われる。そして、処理４３では、空間レイヤに対応するプリコーディング行列を使用して、シンボル系列についてのプリコーディングが行われる。即ち、空間レイヤ内で共通のプリコーディングが行われる。なお、２つ以上の空間レイヤの間では、使用されるプリコーディング行列は異なる。また、例えば、各電力レイヤのシンボルは、データ信号のシンボルである。
【０３２３】
（ａ）伝搬特性に基づく多重化
例えば、基地局１００は、ユーザ（端末装置２００）への伝搬特性を考慮して、空間レイヤ及び電力レイヤの多重化を行う。この点についての説明は、第１の実施形態の第１の変形例と第２の実施形態の変形例との間に特段の差異はない。よって、ここでは重複する記載を省略する。
【０３２４】
（ｂ）多重化の例
多重化の例については、第１の実施形態の第１の変形例と第２の実施形態の変形例との間に特段の差異はない。よって、ここでは重複する記載を省略する。
【０３２５】
＜＜７．応用例＞＞
本開示に係る技術は、様々な製品へ応用可能である。例えば、基地局１００は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、基地局１００は、ＮｏｄｅＢ又はＢＴＳ（Base  Transceiver  Station）などの他の種類の基地局として実現されてもよい。基地局１００は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、基地局１００として動作してもよい。さらに、基地局１００の少なくとも一部の構成要素は、基地局装置又は基地局装置のためのモジュールにおいて実現されてもよい。
【０３２６】
また、例えば、端末装置２００は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置２００は、Ｍ２Ｍ（Machine  To  Machine）通信を行う端末（ＭＴＣ（Machine  Type  Communication）端末ともいう）として実現されてもよい。さらに、端末装置２００の少なくとも一部の構成要素は、これら端末に搭載されるモジュール（例えば、１つのダイで構成される集積回路モジュール）において実現されてもよい。
【０３２７】
＜７．１．基地局に関する応用例＞
（第１の応用例）
図３９は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０３２８】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図３９に示したように複数のアンテナ８１０を有し、複数のアンテナ８１０は、例えばｅＮＢ８００が使用する複数の周波数帯域にそれぞれ対応してもよい。なお、図３９にはｅＮＢ８００が複数のアンテナ８１０を有する例を示したが、ｅＮＢ８００は単一のアンテナ８１０を有してもよい。
【０３２９】
基地局装置８２０は、コントローラ８２１、メモリ８２２、ネットワークインタフェース８２３及び無線通信インタフェース８２５を備える。
【０３３０】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０３３１】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０３３２】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０３３３】
無線通信インタフェース８２５は、図３９に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図３９に示したように複数のＲＦ回路８２７を含み、複数のＲＦ回路８２７は、例えば複数のアンテナ素子にそれぞれ対応してもよい。なお、図３９には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０３３４】
図３９に示したｅＮＢ８００において、図８を参照して説明した処理部１５０に含まれる１つ以上の構成要素（第１送信処理部１５１、第２送信処理部１５３、第３送信処理部１５５及び／又は通知部１５７）は、無線通信インタフェース８２５において実装されてもよい。あるいは、これらの構成要素の少なくとも一部は、コントローラ８２１において実装されてもよい。一例として、ｅＮＢ８００は、無線通信インタフェース８２５の一部（例えば、ＢＢプロセッサ８２６）若しくは全部、及び／又はコントローラ８２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８００にインストールされ、無線通信インタフェース８２５（例えば、ＢＢプロセッサ８２６）及び／又はコントローラ８２１が当該プログラムを実行してもよい。以上のように、上記１つ以上の構成要素を備える装置としてｅＮＢ８００、基地局装置８２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０３３５】
また、図３９に示したｅＮＢ８００において、図８を参照して説明した無線通信部１２０は、無線通信インタフェース８２５（例えば、ＲＦ回路８２７）において実装されてもよい。また、アンテナ部１１０は、アンテナ８１０において実装されてもよい。また、ネットワーク通信部１３０は、コントローラ８２１及び／又はネットワークインタフェース８２３において実装されてもよい。
【０３３６】
（第２の応用例）
図４０は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０３３７】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図４０に示したように複数のアンテナ８４０を有し、複数のアンテナ８４０は、例えばｅＮＢ８３０が使用する複数の周波数帯域にそれぞれ対応してもよい。なお、図４０にはｅＮＢ８３０が複数のアンテナ８４０を有する例を示したが、ｅＮＢ８３０は単一のアンテナ８４０を有してもよい。
【０３３８】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図３９を参照して説明したコントローラ８２１、メモリ８２２及びネットワークインタフェース８２３と同様のものである。
【０３３９】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図３９を参照して説明したＢＢプロセッサ８２６と同様のものである。無線通信インタフェース８５５は、図４０に示したように複数のＢＢプロセッサ８５６を含み、複数のＢＢプロセッサ８５６は、例えばｅＮＢ８３０が使用する複数の周波数帯域にそれぞれ対応してもよい。なお、図４０には無線通信インタフェース８５５が複数のＢＢプロセッサ８５６を含む例を示したが、無線通信インタフェース８５５は単一のＢＢプロセッサ８５６を含んでもよい。
【０３４０】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０３４１】
また、ＲＲＨ８６０は、接続インタフェース８６１及び無線通信インタフェース８６３を備える。
【０３４２】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０３４３】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図４０に示したように複数のＲＦ回路８６４を含み、複数のＲＦ回路８６４は、例えば複数のアンテナ素子にそれぞれ対応してもよい。なお、図４０には無線通信インタフェース８６３が複数のＲＦ回路８６４を含む例を示したが、無線通信インタフェース８６３は単一のＲＦ回路８６４を含んでもよい。
【０３４４】
図４０に示したｅＮＢ８３０において、図８を参照して説明した処理部１５０に含まれる１つ以上の構成要素（第１送信処理部１５１、第２送信処理部１５３、第３送信処理部１５５及び／又は通知部１５７）は、無線通信インタフェース８５５及び／又は無線通信インタフェース８６３において実装されてもよい。あるいは、これらの構成要素の少なくとも一部は、コントローラ８５１において実装されてもよい。一例として、ｅＮＢ８３０は、無線通信インタフェース８５５の一部（例えば、ＢＢプロセッサ８５６）若しくは全部、及び／又はコントローラ８５１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８３０にインストールされ、無線通信インタフェース８５５（例えば、ＢＢプロセッサ８５６）及び／又はコントローラ８５１が当該プログラムを実行してもよい。以上のように、上記１つ以上の構成要素を備える装置としてｅＮＢ８３０、基地局装置８５０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０３４５】
また、図４０に示したｅＮＢ８３０において、例えば、図８を参照して説明した無線通信部１２０は、無線通信インタフェース８６３（例えば、ＲＦ回路８６４）において実装されてもよい。また、アンテナ部１１０は、アンテナ８４０において実装されてもよい。また、ネットワーク通信部１３０は、コントローラ８５１及び／又はネットワークインタフェース８５３において実装されてもよい。
【０３４６】
＜７．２．端末装置に関する応用例＞
（第１の応用例）
図４１は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０３４７】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０３４８】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０３４９】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図４１に示したように複数のＢＢプロセッサ９１３及び複数のＲＦ回路９１４を含んでもよい。なお、図４１には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０３５０】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０３５１】
アンテナスイッチ９１５の各々は、無線通信インタフェース９１２に含まれる複数の回路（例えば、異なる無線通信方式のための回路）の間でアンテナ９１６の接続先を切り替える。
【０３５２】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図４１に示したように複数のアンテナ９１６を有してもよい。なお、図４１にはスマートフォン９００が複数のアンテナ９１６を有する例を示したが、スマートフォン９００は単一のアンテナ９１６を有してもよい。
【０３５３】
さらに、スマートフォン９００は、無線通信方式ごとにアンテナ９１６を備えてもよい。その場合に、アンテナスイッチ９１５は、スマートフォン９００の構成から省略されてもよい。
【０３５４】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図４１に示したスマートフォン９００の各ブロックへ電力を供給する。補助コントローラ９１９は、例えば、スリープモードにおいて、スマートフォン９００の必要最低限の機能を動作させる。
【０３５５】
図４１に示したスマートフォン９００において、図９を参照して説明した情報取得部２４１及び／又は受信処理部２４３は、無線通信インタフェース９１２において実装されてもよい。あるいは、これらの構成要素の少なくとも一部は、プロセッサ９０１又は補助コントローラ９１９において実装されてもよい。一例として、スマートフォン９００は、無線通信インタフェース９１２の一部（例えば、ＢＢプロセッサ９１３）若しくは全部、プロセッサ９０１、及び／又は補助コントローラ９１９を含むモジュールを搭載し、当該モジュールにおいて情報取得部２４１及び／又は受信処理部２４３が実装されてもよい。この場合に、上記モジュールは、プロセッサを情報取得部２４１及び／又は受信処理部２４３として機能させるためのプログラム（換言すると、プロセッサに情報取得部２４１及び／又は受信処理部２４３の動作を実行させるためのプログラム）を記憶し、当該プログラムを実行してもよい。別の例として、プロセッサを情報取得部２４１及び／又は受信処理部２４３として機能させるためのプログラムがスマートフォン９００にインストールされ、無線通信インタフェース９１２（例えば、ＢＢプロセッサ９１３）、プロセッサ９０１、及び／又は補助コントローラ９１９が当該プログラムを実行してもよい。以上のように、情報取得部２４１及び／又は受信処理部２４３を備える装置としてスマートフォン９００又は上記モジュールが提供されてもよく、プロセッサを情報取得部２４１及び／又は受信処理部２４３として機能させるためのプログラムが提供されてもよい。また、上記プログラムを記録した読み取り可能な記録媒体が提供されてもよい。
【０３５６】
また、図４１に示したスマートフォン９００において、例えば、図９を参照して説明した無線通信部２２０は、無線通信インタフェース９１２（例えば、ＲＦ回路９１４）において実装されてもよい。また、アンテナ部２１０は、アンテナ９１６において実装されてもよい。
【０３５７】
（第２の応用例）
図４２は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０３５８】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０３５９】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０３６０】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０３６１】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図４２に示したように複数のＢＢプロセッサ９３４及び複数のＲＦ回路９３５を含んでもよい。なお、図４２には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０３６２】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０３６３】
アンテナスイッチ９３６の各々は、無線通信インタフェース９３３に含まれる複数の回路（例えば、異なる無線通信方式のための回路）の間でアンテナ９３７の接続先を切り替える。
【０３６４】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図４２に示したように複数のアンテナ９３７を有してもよい。なお、図４２にはカーナビゲーション装置９２０が複数のアンテナ９３７を有する例を示したが、カーナビゲーション装置９２０は単一のアンテナ９３７を有してもよい。
【０３６５】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０３６６】
バッテリー９３８は、図中に破線で部分的に示した給電ラインを介して、図４２に示したカーナビゲーション装置９２０の各ブロックへ電力を供給する。また、バッテリー９３８は、車両側から給電される電力を蓄積する。
【０３６７】
図４２に示したカーナビゲーション装置９２０において、図９を参照して説明した情報取得部２４１及び／又は受信処理部２４３は、無線通信インタフェース９３３において実装されてもよい。あるいは、これらの構成要素の少なくとも一部は、プロセッサ９２１において実装されてもよい。一例として、カーナビゲーション装置９２０は、無線通信インタフェース９３３の一部（例えば、ＢＢプロセッサ９３４）若しくは全部及び／又はプロセッサ９２１を含むモジュールを搭載し、当該モジュールにおいて情報取得部２４１及び／又は受信処理部２４３が実装されてもよい。この場合に、上記モジュールは、プロセッサを情報取得部２４１及び／又は受信処理部２４３として機能させるためのプログラム（換言すると、プロセッサに情報取得部２４１及び／又は受信処理部２４３の動作を実行させるためのプログラム）を記憶し、当該プログラムを実行してもよい。別の例として、プロセッサを情報取得部２４１及び／又は受信処理部２４３として機能させるためのプログラムがカーナビゲーション装置９２０にインストールされ、無線通信インタフェース９３３（例えば、ＢＢプロセッサ９３４）及び／又はプロセッサ９２１が当該プログラムを実行してもよい。以上のように、情報取得部２４１及び／又は受信処理部２４３を備える装置としてカーナビゲーション装置９２０又は上記モジュールが提供されてもよく、プロセッサを情報取得部２４１及び／又は受信処理部２４３として機能させるためのプログラムが提供されてもよい。また、上記プログラムを記録した読み取り可能な記録媒体が提供されてもよい。
【０３６８】
また、図４２に示したカーナビゲーション装置９２０において、例えば、図９を参照して説明した無線通信部２２０は、無線通信インタフェース９３３（例えば、ＲＦ回路９３５）において実装されてもよい。また、アンテナ部２１０は、アンテナ９３７において実装されてもよい。
【０３６９】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。即ち、情報取得部２４１及び／又は受信処理部２４３を備える装置として車載システム（又は車両）９４０が提供されてもよい。車両側モジュール９４２は、車速、エンジン回転数又は故障情報などの車両側データを生成し、生成したデータを車載ネットワーク９４１へ出力する。
【０３７０】
＜＜８．まとめ＞＞
ここまで、図１〜図４２を参照して、本開示の実施形態に係る装置及び処理を説明した。
【０３７１】
本開示の実施形態によれば、基地局１００は、電力割当てを用いて多重化される複数の電力レイヤの送信信号系列を生成する第１送信処理部１５１と、上記複数の電力レイヤのうちの１つ以上の電力レイヤの各々について、電力レイヤに対応するインタリーバ又は位相係数を使用して当該電力レイヤの送信信号系列を処理する第２送信処理部１５３と、を備える。
【０３７２】
本開示の実施形態によれば、端末装置２００は、電力割当てを用いて多重化される複数の電力レイヤのうちの少なくとも１つの電力レイヤの各々に対応するデインタリーバ又は位相係数を取得する情報取得部２４１と、上記少なくとも１つの電力レイヤの各々に対応する上記デインタリーバ又は上記位相係数を使用して、受信処理を行う受信処理部２４３と、を備える。
【０３７３】
これにより、例えば、電力割当てを用いた多重化／多元接続が行われる場合に復号の精度をより高くすることが可能になる。
【０３７４】
以上、添付図面を参照しながら本開示の好適な実施形態を説明したが、本開示は係る例に限定されないことは言うまでもない。当業者であれば、請求の範囲に記載された範疇内において、各種の変更例又は修正例に想到し得ることは明らかであり、それらについても当然に本開示の技術的範囲に属するものと了解される。
【０３７５】
例えば、基地局及び端末装置の通信について、ＬＴＥ又はＬＴＥ−Ａなどの既存のシステムの技術を利用する例も記載したが、当然ながら、本開示は係る例に限定されない。新たなシステムの技術が利用されてもよい。一例として、基地局の第１送信処理部による送信信号系列の生成は、新たなシステムの技術により行われてもよい。
【０３７６】
また、例えば、電力割当てを用いた多重化について、基地局が送信装置であり、端末装置が受信装置である例を説明したが、本開示は係る例に限定されない。送信装置及び受信装置は別の装置であってもよい。
【０３７７】
また、本明細書の処理における処理ステップは、必ずしもフローチャート又はシーケンス図に記載された順序に沿って時系列に実行されなくてよい。例えば、処理における処理ステップは、フローチャート又はシーケンス図として記載した順序と異なる順序で実行されても、並列的に実行されてもよい。
【０３７８】
また、本明細書の装置（例えば、基地局、基地局装置若しくは基地局装置のためのモジュール、又は、端末装置若しくは端末装置のためのモジュール）に備えられるプロセッサ（例えば、ＣＰＵ、ＤＳＰなど）を上記装置の構成要素（例えば、第１送信処理部及び第２送信処理部、又は、情報取得部２４１及び受信処理部２４３など）として機能させるためのコンピュータプログラム（換言すると、上記プロセッサに上記装置の構成要素の動作を実行させるためのコンピュータプログラム）も作成可能である。また、当該コンピュータプログラムを記録した記録媒体も提供されてもよい。また、上記コンピュータプログラムを記憶するメモリと、上記コンピュータプログラムを実行可能な１つ以上のプロセッサとを備える装置（例えば、基地局、基地局装置若しくは基地局装置のためのモジュール、又は、端末装置若しくは端末装置のためのモジュール）も提供されてもよい。また、上記装置の構成要素（例えば、第１送信処理部及び第２送信処理部、又は、情報取得部２４１及び受信処理部２４３など）の動作を含む方法も、本開示に係る技術に含まれる。
【０３７９】
また、本明細書に記載された効果は、あくまで説明的又は例示的なものであって限定的ではない。つまり、本開示に係る技術は、上記効果とともに、又は上記効果に代えて、本明細書の記載から当業者には明らかな他の効果を奏しうる。
【０３８０】
なお、以下のような構成も本開示の技術的範囲に属する。
（１）
電力割当てを用いて多重化される複数の電力レイヤの送信信号系列を生成する第１送信処理部と、
前記複数の電力レイヤのうちの１つ以上の電力レイヤの各々について、電力レイヤに対応するインタリーバ、スクランブラ又は位相係数を使用して当該電力レイヤの送信信号系列を処理する第２送信処理部と、
を備える装置。
（２）
前記第２送信処理部は、前記電力レイヤに対応する前記インタリーバを使用して前記電力レイヤの前記送信信号系列をインタリーブする、前記（１）に記載の装置。
（３）
前記電力レイヤの前記送信信号系列は、ユーザへの送信信号系列であり、
前記電力レイヤに対応する前記インタリーバは、前記ユーザに固有のインタリーバである、
前記（２）に記載の装置。
（４）
前記電力レイヤに対応する前記インタリーバは、前記電力レイヤに固有のインタリーバである、前記（２）に記載の装置。
（５）
前記第２送信処理部は、前記電力レイヤに対応する前記位相係数を使用して前記電力レイヤの前記送信信号系列の位相を回転させる、前記（１）に記載の装置。
（６）
前記送信信号系列は、送信されるデータ信号の系列であり、
前記第２送信処理部は、電力レイヤに対応する位相係数を使用してリファレンス信号の位相を回転させない、
前記（５）に記載の装置。
（７）
前記１つ以上の電力レイヤは、前記複数の電力レイヤのうちの、所定数の電力レイヤ以外の電力レイヤである、前記（１）〜（６）のいずれか１項に記載の装置。
（８）
前記所定数の電力レイヤは、前記１つ以上の電力レイヤよりも大きい送信電力を割り当てられる電力レイヤである、前記（７）に記載の装置。
（９）
前記所定数の電力レイヤは、１つの電力レイヤである、前記（７）又は（８）に記載の装置。
（１０）
前記１つ以上の電力レイヤは、前記複数の電力レイヤである、前記（１）〜（６）のいずれか１項に記載の装置。
（１１）
前記１つ以上の電力レイヤのうちの、より大きい送信電力を割り当てられる電力レイヤの送信信号系列は、より低い通信品質を伴うユーザへの送信信号系列であり、
前記１つ以上の電力レイヤのうちの、より小さい送信電力を割り当てられる電力レイヤの送信信号系列は、より高い通信品質を伴うユーザへの送信信号系列である、
前記（１）〜（１０）のいずれか１項に記載の装置。
（１２）
前記電力レイヤの前記送信信号系列は、ユーザへの送信信号系列であり、
前記装置は、前記電力レイヤを前記ユーザに通知する通知部をさらに備える、
前記（１）〜（１１）のいずれか１項に記載の装置。
（１３）
前記通知部は、前記ユーザへのダウンリンク制御情報の中で、前記電力レイヤを前記ユーザに通知する、前記（１２）に記載の装置。
（１４）
前記通知部は、前記複数の電力レイヤについての電力レイヤ数を前記ユーザに通知する、前記（１２）又は（１３）に記載の装置。
（１５）
前記通知部は、前記ユーザへのダウンリンク制御情報、前記ユーザへのシグナリングメッセージ、又はシステム情報の中で、前記電力レイヤ数を前記ユーザに通知する、前記（１４）に記載の装置。
（１６）
前記通知部は、前記ユーザへの前記送信信号系列についてのインタリーバ、スクランブラ又は位相係数の使用の有無を、前記ユーザに通知する、前記（１２）〜（１５）のいずれか１項に記載の装置。
（１７）
前記通知部は、前記ユーザへのダウンリンク制御情報の中で、前記使用の有無を前記ユーザに通知する、前記（１６）に記載の装置。
（１８）
電力割当てを用いて多重化される複数の電力レイヤのうちの少なくとも１つの電力レイヤの各々に対応するデインタリーバ、デスクランブラ又は位相係数を取得する取得部と、
前記少なくとも１つの電力レイヤの各々に対応する前記デインタリーバ、前記デスクランブラ又は前記位相係数を使用して、受信処理を行う受信処理部と、
を備える装置。
（１９）
前記少なくとも１つの電力レイヤは、前記複数の電力レイヤうちの、所定数の電力レイヤ以外の１つ以上の電力レイヤに含まれ、
前記受信処理部は、前記所定数の電力レイヤの各々に対応するデインタリーバ、デスクランブラ又は位相係数を使用することなく、受信処理を行う、
前記（１８）に記載の装置。
（２０）
前記受信処理部は、前記複数の電力レイヤのうちの、電力レイヤに対応するインタリーバ、スクランブラ又は位相係数を使用して送信信号系列が処理される当該電力レイヤを判定する、前記（１８）又は（１９）に記載の装置。
（２１）
前記第２送信処理部は、前記電力レイヤに対応する前記スクランブラを使用して前記電力レイヤの前記送信信号系列をスクランブルする、前記（１）に記載の装置。
（２２）
前記電力レイヤの前記送信信号系列は、ユーザへの送信信号系列であり、
前記電力レイヤに対応する前記スクランブラは、前記ユーザに固有のスクランブラである、
前記（２１）に記載の装置。
（２３）
前記電力レイヤに対応する前記スクランブラは、前記電力レイヤに固有のスクランブラである、前記（２１）に記載の装置。
（２４）
前記装置は、基地局、基地局のための基地局装置、又は当該基地局装置のためのモジュールである、前記（１）〜（１７）のいずれか１項に記載の装置。
（２５）
前記装置は、端末装置、又は端末装置のためのモジュールである、前記（１８）〜（２０）のいずれか１項に記載の装置。
（２６）
前記複数の電力レイヤは、ＳＰＣを用いて多重化されるレイヤである、前記（１）〜（２５）のいずれか１項に記載の装置。
（２７）
プロセッサにより、
電力割当てを用いて多重化される複数の電力レイヤの送信信号系列を生成することと、
前記複数の電力レイヤのうちの１つ以上の電力レイヤの各々について、電力レイヤに対応するインタリーバ、スクランブラ又は位相係数を使用して当該電力レイヤの送信信号系列を処理することと、
を含む方法。
（２８）
電力割当てを用いて多重化される複数の電力レイヤの送信信号系列を生成することと、
前記複数の電力レイヤのうちの１つ以上の電力レイヤの各々について、電力レイヤに対応するインタリーバ、スクランブラ又は位相係数を使用して当該電力レイヤの送信信号系列を処理することと、
をプロセッサに実行させるためのプログラム。
（２９）
電力割当てを用いて多重化される複数の電力レイヤの送信信号系列を生成することと、
前記複数の電力レイヤのうちの１つ以上の電力レイヤの各々について、電力レイヤに対応するインタリーバ、スクランブラ又は位相係数を使用して当該電力レイヤの送信信号系列を処理することと、
をプロセッサに実行させるためのプログラムを記録した読み取り可能な記録媒体。
（３０）
プロセッサにより、
電力割当てを用いて多重化される複数の電力レイヤのうちの少なくとも１つの電力レイヤの各々に対応するデインタリーバ、デスクランブラ又は位相係数を取得することと、
前記少なくとも１つの電力レイヤの各々に対応する前記デインタリーバ、前記デスクランブラ又は前記位相係数を使用して、受信処理を行うことと、
を含む方法。
（３１）
電力割当てを用いて多重化される複数の電力レイヤのうちの少なくとも１つの電力レイヤの各々に対応するデインタリーバ、デスクランブラ又は位相係数を取得することと、
前記少なくとも１つの電力レイヤの各々に対応する前記デインタリーバ、前記デスクランブラ又は前記位相係数を使用して、受信処理を行うことと、
をプロセッサに実行させるためのプログラム。
（３２）
電力割当てを用いて多重化される複数の電力レイヤのうちの少なくとも１つの電力レイヤの各々に対応するデインタリーバ、デスクランブラ又は位相係数を取得することと、
前記少なくとも１つの電力レイヤの各々に対応する前記デインタリーバ、前記デスクランブラ又は前記位相係数を使用して、受信処理を行うことと、
をプロセッサに実行させるためのプログラムを記録した読み取り可能な記録媒体。
【符号の説明】
【０３８１】
１        システム
１００    基地局
１０１    セル
１５１    第１送信処理部
１５３    第２送信処理部
１５５    第３送信処理部
１５７    通知部
２００    端末装置
２４１    情報取得部
２４３    受信処理部
【図１】
2016152175.tif 000031
【図２】
2016152175.tif 000032
【図３】
2016152175.tif 000033
【図４】
2016152175.tif 000034
【図５】
2016152175.tif 000035
【図６】
2016152175.tif 000036
【図７】
2016152175.tif 000037
【図８】
2016152175.tif 000038
【図９】
2016152175.tif 000039
【図１０】
2016152175.tif 000040
【図１１】
2016152175.tif 000041
【図１２】
2016152175.tif 000042
【図１３】
2016152175.tif 000043
【図１４】
2016152175.tif 000044
【図１５】
2016152175.tif 000045
【図１６】
2016152175.tif 000046
【図１７】
2016152175.tif 000047
【図１８】
2016152175.tif 000048
【図１９】
2016152175.tif 000049
【図２０】
2016152175.tif 000050
【図２１】
2016152175.tif 000051
【図２２】
2016152175.tif 000052
【図２３】
2016152175.tif 000053
【図２４】
2016152175.tif 000054
【図２５】
2016152175.tif 000055
【図２６】
2016152175.tif 000056
【図２７】
2016152175.tif 000057
【図２８】
2016152175.tif 000058
【図２９】
2016152175.tif 000059
【図３０】
2016152175.tif 000060
【図３１】
2016152175.tif 000061
【図３２】
2016152175.tif 000062
【図３３】
2016152175.tif 000063
【図３４】
2016152175.tif 000064
【図３５】
2016152175.tif 000065
【図３６】
2016152175.tif 000066
【図３７】
2016152175.tif 000067
【図３８】
2016152175.tif 000068
【図３９】
2016152175.tif 000069
【図４０】
2016152175.tif 000070
【図４１】
2016152175.tif 000071
【図４２】
2016152175.tif 000072
【国際調査報告】
2016152175.tif 000073
2016152175.tif 000074
2016152175.tif 000075
2016152175.tif 000076